(57)【要約】【課題】本発明の目的は、著作権の保護を図り、かつユーザの趣向性にあった画像を配信することが出来る画像配信システム及びその方法を提供すること。【解決手段】携帯電話４から画像配信のリクエストに応答し、ゲートウェイサーバ２が携帯電話４の固有識別子に対応するユーザＩＤをリクエストに設定してＩＰサーバ１に送信する。ＩＰサーバ１が、ゲートウェイサーバ２からのリクエストを受信し、リクエストに設定されているユーザＩＤに基づいて、画像配信の是非を照合し、照合の結果が画像配信して良いユーザならば、リクエストされた画像データを携帯電話４に送信する。携帯電話４が、画像データを受信し、受信した画像データをユーザからのアクセスが制限された記憶領域に格納する。【選択図】図１
2011078116.tif 000002
【特許請求の範囲】
【請求項１】
画像配信システムであって、
移動体通信網と、前記移動体通信網に接続される複数の携帯電話と、前記移動体通信網を経由して前記携帯電話と接続される第１のサーバと、ネットワークと、前記ネットワークを経由して前記第１のサーバと接続される第２のサーバとを有し、
前記携帯電話は、
画像を表示する表示手段と、アクセス制御された領域を持つ記憶手段と、画像の配信サービスの会員登録要求を送信する会員登録要求手段と、画像配信の要求を送信する画像配信要求手段と、前記第２のサーバに格納されている複数の画像データのうち、所望の画像データを選択する画像選択情報を送信し、所望の画像データをダウンロードする画像選択手段と、前記ダウンロードされた画像データを、前記記憶手段のアクセス制御された領域に格納する格納手段と、前記ダウンロードされた画像を、前記表示手段に表示する画像制御手段とを有し、
前記第１のサーバは、
前記携帯電話の固有識別子とこの固有識別子と対の関係にあるユーザ識別子とが対応付けられて記述されたユーザ識別子テーブルと、前記携帯電話の固有識別子に対応するユーザ識別子をユーザ識別子テーブルから検索し、固有識別子をユーザ識別子に変換して前記携帯電話からの要求を第２のサーバに送信する手段とを有し、
前記第２のサーバは、
配信する画像データが格納された記憶手段と、画像配信サービスの会員のユーザ識別子が記述された会員リストテーブルと、前記第１のサーバから会員登録要求を受信すると、この会員登録要求に付加されているユーザ識別子が前記会員リストテーブルに記載されているかを判断し、記載されていなければ、ユーザ識別子を前記会員リストテーブルに記載する会員登録手段と、前記画像配信要求を受信すると、この画像配信要求に付加されているユーザ識別子が前記会員リストテーブルに記載されているかを判断し、記載されていれば、配信可能な画像のリストを送信する画像リスト送信手段と、画像選択情報で指示された画像データを前記記憶手段から読み出し、前記携帯電話に送信する画像配信手段と
を有することを特徴とする画像配信システム。
【請求項２】
配信される画像は、毎日更新されることを特徴とする請求項１に記載の画像配信システム。
【請求項３】
前記携帯電話は、自己の機種情報を送信する手段を有し、
前記第２のサーバは、携帯電話の機種毎の画像データが格納された記憶手段と、前記携帯電話の機種情報に対応した画像データを前記記憶手段から読み出して、前記第１のサーバを介して前記携帯電話に送信する画像配信手段とを有することを特徴とする請求項１又は請求項２に記載の画像配信システム。
【請求項４】
前記第1のサーバは、携帯電話の固有識別子と前記携帯電話の機種情報とが対応付けられて記載された機種情報テーブルと、携帯電話からの要求に対して、前記要求に付加されている固有識別子に基づいて、前記機種情報テーブルから前記携帯電話の機種情報を検索し、この機種情報を前記要求に付加して送信する手段とを有し、
前記第２のサーバは、携帯電話の機種毎の画像データが格納された記憶手段と、要求に付加されている機種情報に対応した画像データを前記記憶手段から読み出して、前記第１のサーバを介して前記携帯電話に送信する画像配信手段とを有することを特徴とする請求項１から請求項３のいずれかに記載の画像配信システム。
【請求項５】
前記第２のサーバは、会員の電子メールアドレスが記載されたアドレステーブルと、配信可能な画像データをダウンロードするためのリンク先が設定された電子メールを、前記アドレステーブルに記載されたアドレスに対して同報送信する手段と、前記電子メールからのリンクに基づいたアクセスに応答し、画像データを前記携帯電話に送信する手段とを有し、
前記携帯電話は、電子メールを送受信する電子メール送受信手段と、前記電子メール送受信手段により、電子メールを受信し、前記電子メールに設定されたリンク先にアクセスするアクセス手段と、前記リンク先からダウンロードした画像を前記表示手段に表示する画像表示制御手段と、前記リンク先からダウンロードした画像を前記記憶手段のアクセス制御された領域に格納する格納手段とを有することを特徴とする請求項１から請求項４のいずれかに記載の画像配信システム。
【請求項６】
前記携帯電話は、メール配信サービスの会員登録要求を送信する会員登録要求手段と、前記第２のサーバにより起動される電子メール送信手段と、前記電子メール送信手段が起動されると、第２のサーバから与えられた第２のサーバのメールアドレスを電子メールの送信先に設定し、ユーザのメールアドレスを発信元に設定し、第２のサーバから与えられたメール識別子を電子メールに設定して送信先に送信する手段とを更に有し、
第２のサーバは、会員登録要求を受信すると、前記会員登録要求を送信した会員のユーザ識別子と対の関係にあるメール識別子を生成する手段と、前記携帯電話の電子メール送受信手段を起動させると共に、第２のサーバのメールアドレスと前記メール識別子とを前記携帯電話に送信する手段と、電子メールを受信し、前記電子メールに設定されているメール識別子からユーザ識別子を特定し、特定されたユーザ識別子と前記電子メールに設定されているユーザのメールアドレスとを対にしてアドレステーブルに記載する手段と更に有することを特徴とする請求項５に記載の画像配信システム。
【請求項７】
画像配信システムであって、
移動体通信網と、前記移動体通信網に接続される複数の携帯電話と、前記移動体通信網を経由して前記携帯電話と接続される第１のサーバと、ネットワークと、前記ネットワークを経由して前記第１のサーバと接続される第２のサーバとを有し、
前記第１のサーバは、携帯電話を前記ネットワークに接続する手段を有し、
前記第２のサーバは、画像データを格納する記憶手段と、画像配信サービスの会員の電子メールアドレスが記載されたアドレステーブルと、配信可能な画像データを送信するためのリンク先が設定された電子メールを、前記アドレステーブルに記載されたアドレスに対して同報送信する手段と、前記電子メールに設定されたリンクに基づき、画像データを前記携帯電話に送信する手段とを有し、
前記携帯電話は、画像を表示する表示手段と、電子メールを受信する電子メール受信手段と、前記電子メール受信手段により、電子メールを受信し、前記電子メールに設定されたリンク先にアクセスするアクセス手段と、前記リンク先からダウンロードした画像を前記表示手段に表示する画像表示制御手段とを有する
ことを特徴とする画像配信システム。
【請求項８】
リンク先から配信される画像は、最新の画像であることを特徴とする請求項７に記載の画像配信システム。
【請求項９】
前記携帯電話は、メール配信サービスの会員登録要求を送信する会員登録要求手段と、前記第２のサーバにより起動される電子メール送信手段と、前記電子メール送信手段が起動されると、第２のサーバから与えられた第２のサーバのメールアドレスを電子メールの送信先に設定し、ユーザのメールアドレスを発信元に設定し、第２のサーバから与えられたメール識別子を電子メールに設定して送信先に送信する手段とを更に有し、
前記第２のサーバは、会員登録要求を受信すると、前記会員登録要求を送信した会員のユーザ識別子と対の関係にあるメール識別子を生成する手段と、前記携帯電話の電子メール送受信手段を起動させると共に、第２のサーバのメールアドレスと前記メールの識別子とを前記携帯電話に送信する手段と、電子メールを受信し、前記電子メールに設定されているメール識別子からユーザ識別子を特定し、特定されたユーザ識別子と前記電子メールに設定されているユーザのメールアドレスとを対にしてアドレステーブルに記載する手段と更に有することを特徴とする請求項７又は請求項８に記載の画像配信システム。
【請求項１０】
前記携帯電話は、自己の機種情報を送信する手段を有し、
前記第２のサーバは、携帯電話の機種毎の画像データが格納された記憶手段と、前記携帯電話の機種情報に対応した画像データを前記記憶手段から読み出して、前記第１のサーバを介して前記携帯電話に送信する画像配信手段とを有することを特徴とする請求項７から請求項９のいずれかに記載の画像配信システム。
【請求項１１】
前記第1のサーバは、携帯電話の固有識別子と前記携帯電話の機種情報とが対応付けられて記載された機種情報テーブルと、携帯電話からの要求に対して、前記要求に付加されている固有識別子に基づいて、前記機種情報テーブルから前記携帯電話の機種情報を検索し、この機種情報を前記要求に付加して送信する手段とを有し、
前記第２のサーバは、携帯電話の機種毎の画像データが格納された記憶手段と、要求に付加されている機種情報に対応した画像データを前記記憶手段から読み出して、前記第１のサーバを介して前記携帯電話に送信する画像配信手段とを有することを特徴とする請求項７に記載の画像配信システム。
【請求項１２】
前記携帯電話は、アクセス制御された領域を持つ記憶手段と、ダウンロードされた画像データを、前記記憶手段のアクセス制御された領域に格納する格納手段とを有することを特徴とする請求項７から請求項１１のいずれかに記載の画像配信システム。
【請求項１３】
移動体通信網と、前記移動体通信網に接続される複数の携帯電話と、前記移動体通信網を経由して前記携帯電話と接続される第１のサーバと、ネットワークと、前記ネットワークを経由して前記第１のサーバと接続される第２のサーバとを有するネットワークシステムにおける画像配信方法であって、
携帯電話から画像配信のリクエストに応答し、第１のサーバが前記携帯電話の固有識別子に対応するユーザ識別子を前記リクエストに設定して第２のサーバに送信するステップと、
前記第２のサーバが、前記第１のサーバからのリクエストを受信し、前記リクエストに設定されているユーザ識別子に基づいて、画像配信の是非を照合し、照合の結果が画像配信して良いユーザならば、リクエストされた画像データを前記携帯電話に送信するステップと、
前記携帯電話が、画像データを受信し、受信した画像データをユーザからのアクセスが制限された記憶領域に格納するステップと
を有することを特徴とする画像配信方法。
【請求項１４】
配信される画像は、毎日更新されることを特徴とする請求項１３に記載の画像配信方法。
【請求項１５】
第２のサーバに、携帯電話の機種毎の画像データを格納するステップと、
携帯電話が、リクエストを送信する際に自己の機種情報を付加して送信するステップと、
第２のサーバは、前記携帯電話の機種情報に対応した画像データを携帯電話に配信するステップと
を更に有することを特徴とする請求項１３又は請求項１４に記載の画像配信方法。
【請求項１６】
前記第1のサーバに、携帯電話の固有識別子と前記携帯電話の機種情報とが対応付けられて記載された機種情報テーブルを作成するステップと、
第２のサーバに、携帯電話の機種毎の画像データを格納するステップと、
第1のサーバが、携帯電話からリクエストに応答して、前記リクエストに付加されている固有識別子に基づいて、前記機種情報テーブルから前記携帯電話の機種情報を検索し、この機種情報を前記要求に付加して第２サーバに送信するステップと、
第２のサーバは、リクエストに付加された機種情報に基づいて、前記携帯電話の機種情報に対応した画像データを携帯電話に配信するステップと
を更に有することを特徴とする請求項１３から請求項１５のいずれかに記載の画像配信方法。
【請求項１７】
第２のサーバに、電子メールを配信する会員の電子メールアドレスを記載したアドレステーブルを設けるステップと、
配信可能な画像データをダウンロードするためのリンク先が設定された電子メールを、前記アドレステーブルに記載されたアドレスに対して第２のサーバから同報送信するステップと、
電子メールを受信し、受信した電子メールに設定されたリンク先にアクセスし、画像データをダウンロードし、ダウンロードした画像データの画像を表示するステップと
を有することを特徴とする請求項１３から請求項１５のいずれかに記載の画像配信方法。
【請求項１８】
携帯電話が、電子メールアドレスの登録リクエストを送信するステップと、
第１のサーバが前記登録リクエストにユーザ識別子を設定するステップと、
第２のサーバが、前記登録リクエストに設定されている前記ユーザ識別子と対の関係となる仮識別子を生成するステップと、
前記仮識別子と前記第２のサーバの電子メールアドレスとを前記携帯電話に送信すると共に、前記携帯電話の電子メールの機能を起動させ、前記携帯電話上の電子メールの発信元にユーザの電子メールアドレスを設定し、電子メールの送信先に前記第２サーバの電子メールアドレスを設定し、電子メールに前記仮識別子を設定するステップと、
前記携帯電話から前記設定された電子メールを送信するステップと、
前記第２のサーバが、受信した電子メールから仮識別子を抽出し、仮識別子と対の関係にあるユーザ識別子を検索するステップと、
受信した電子メールの発信元に記載された前記ユーザの電子メールアドレスと、前記検索されたユーザ識別子とを対の関係にしてアドレステーブルに登録するステップと
を有することを特徴とする請求項１７に記載の画像配信方法。
【請求項１９】
移動体通信網と、前記移動体通信網に接続される複数の携帯電話と、前記移動体通信網を経由して前記携帯電話と接続される第１のサーバと、ネットワークと、前記ネットワークを経由して前記第１のサーバと接続される第２のサーバとを有するネットワークシステムにおける画像配信方法であって、
配信しようとする画像をダウンロードするためのリンク先が設定された電子メールを、予め登録されている電子メールアドレスを送信先として同報送信するステップと、
電子メールを受信し、携帯電話から電子メールに設定されたリンク先に第１のサーバを介して画像の配信をリクエストするステップと、
携帯電話から画像配信のリクエストに応答し、第１のサーバが前記携帯電話の固有識別子に対応するユーザ識別子を前記リクエストに設定して第２のサーバに送信するステップと、
前記第２のサーバが、前記第１のサーバからのリクエストを受信し、前記リクエストに設定されているユーザ識別子に基づいて、画像配信の是非を照合し、照合の結果が画像配信して良いユーザならば、リクエストとで特定される画像データを前記携帯電話に送信するステップと、
前記携帯電話が、画像データを受信し、受信した画像データの画像を表示するステップと
を有することを特徴とする画像配信方法。
【請求項２０】
受信した画像データをユーザからのアクセスが制限された記憶領域に格納するステップを更に有することを特徴とする請求項１９に記載の画像配信方法。
【請求項２１】
配信される画像は、毎日更新されることを特徴とする請求項１９又は請求項２０に記載の画像配信方法。
【請求項２２】
第２のサーバに、携帯電話の機種毎の画像データを格納するステップと、
携帯電話が、リクエストを送信する際に自己の機種情報を付加して送信するステップと、
第２のサーバが、前記携帯電話の機種情報に対応した画像データを携帯電話に配信するステップと
を更に有することを特徴とする請求項１９から請求項２１のいずれかに記載の画像配信方法。
【請求項２３】
前記第1のサーバに、携帯電話の固有識別子と前記携帯電話の機種情報とが対応付けられて記載された機種情報テーブルを作成するステップと、
第２のサーバに、携帯電話の機種毎の画像データを格納するステップと、
第１のサーバが、携帯電話からリクエストに応答して、前記リクエストに付加されている固有識別子に基づいて、前記機種情報テーブルから前記携帯電話の機種情報を検索し、この機種情報を前記要求に付加して第２サーバに送信するステップと、
第２のサーバは、リクエストに付加された機種情報に基づいて、前記携帯電話の機種情報に対応した画像データを携帯電話に配信するステップと
を更に有することを特徴とする請求項１９から請求項２２のいずれかに記載の画像配信方法。
【請求項２４】
携帯電話が、電子メールアドレスの登録リクエストを送信するステップと、
第１のサーバが前記登録リクエストにユーザ識別子を設定するステップと、
第２のサーバが、前記登録リクエストに設定されている前記ユーザ識別子と対の関係となる仮識別子を生成するステップと、
前記仮識別子と前記第２のサーバの電子メールアドレスとを前記携帯電話に送信すると共に、前記携帯電話の電子メールの機能を起動させ、前記携帯電話上の電子メールの発信元にユーザの電子メールアドレスを設定し、電子メールの送信先に前記第２サーバの電子メールアドレスを設定し、電子メールに前記仮識別子を設定するステップと、
前記携帯電話から前記設定された電子メールを送信するステップと、
前記第２のサーバが、受信した電子メールから仮識別子を抽出し、仮識別子と対の関係にあるユーザ識別子を検索するステップと、
受信した電子メールの発信元に記載された前記ユーザの電子メールアドレスと、前記検索されたユーザ識別子とを対の関係にして登録するステップと
を有することを特徴とする請求項１９から請求項２３のいずれかに記載の画像配信方法。
【請求項２５】
端末と、前記端末と第１のサーバを経由して接続される第２のサーバとを有し、前記第１のサーバが発行する前記端末の端末識別子に基づいて、前記第２のサーバが前記端末を識別する第１の通信方法と、前記第２のサーバが前記端末の電子メールアドレスに基づいて、前記端末を識別する第２の通信方法とが混在する場合にあって、前記端末識別子と対応させて電子メールアドレスを収得する方法であって、
端末が第１の通信方法に基づいて、電子メールアドレスの登録要求を送信するステップと、
第１のサーバが前記登録要求に端末識別子を設定するステップと、
第２のサーバが、前記登録要求に設定されている前記端末識別子と対の関係となる仮識別子を生成するステップと、
第１の通信方法に基づいて、前記仮識別子と前記第２のサーバの電子メールアドレスとを前記端末に送信すると共に、前記端末の電子メールの機能を起動させ、前記端末上の電子メールの発信元に前記端末の電子メールアドレスを設定し、電子メールの送信先に前記第２サーバの電子メールアドレスを設定し、電子メールに前記仮識別子を設定するステップと、
前記端末から前記設定された電子メールを第２の通信方法に基づいて送信するステップと、
前記第２のサーバが、受信した電子メールから仮識別子を抽出し、仮識別子と対の関係にある端末識別子を検索するステップと、
受信した電子メールの発信元に記載された前記端末の電子メールアドレスと、前記検索された端末識別子とを対の関係にして記憶するステップと
を有することを特徴とする電子メールアドレスを収得する方法。
【請求項２６】
仮識別子として端末の端末識別子を用いることを特徴とする請求項２５に記載の電子メールアドレスを収得する方法。
【請求項２７】
端末と、前記端末と第１のサーバを経由して接続される第２のサーバとを有し、前記第１のサーバが前記端末に付与した端末識別子情報を前記第２のサーバが入手する第１の通信方法と、前記端末の電子メールアドレス情報を前記第２のサーバが入手する第２の通信方法とが混在する場合にあって、前記端末識別子情報と電子メールアドレス情報とを対応づけて前記第２サーバに記憶する方法であって、
第１の通信方法に基づき、端末より第１のサーバを介して電子メールアドレスの登録要求と当該端末の端末識別子情報を第２のサーバにて受信するステップと、
第１の通信方法に基づき、前記端末識別情報に対応する前記仮識別子情報と前記第２のサーバの電子メールアドレス情報とを前記第１のサーバを介して前記端末へ前記第２のサーバより送信すると共に、前記端末の電子メール機能の起動を促し、前記端末が電子メール機能を起動した場合には、前記端末上の電子メールの発信元に前記端末の電子メールアドレス情報を設定し、電子メールの送信先に前記第２サーバの電子メールアドレス情報を設定し、電子メールに前記仮識別子情報を設定するステップと、
前記端末より前記設定された電子メールを第２の通信方法に基づいて前記第２のサーバにて受信するステップと、
前記第２のサーバにて受信した電子メールから仮識別子情報を抽出し、当該仮識別子情報に対応する端末識別子情報を入手すると共に、受信した電子メールの発信元に記載された前記端末の電子メールアドレス情報と、当該端末識別子とを対の関係にして記憶するステップと
を有することを特徴とする前記端末識別子情報と電子メールアドレス情報とを対応づけて前記第２サーバに記憶する方法。
【請求項２８】
仮識別子情報として端末の端末識別子情報を用いることを特徴とする請求項２７に記載の前記端末識別子情報と電子メールアドレス情報とを対応づけて前記第２サーバに記憶する方法。
【請求項２９】
アクセス制御された領域を持つ記憶手段を有する携帯電話に、画像を配信する画像配信サーバであって、
配信する画像データが格納された記憶手段と、
画像配信サービスの会員のユーザ識別子が記述された会員リストテーブルと、
会員登録要求を受信すると、この会員登録要求に付加されているユーザ識別子が前記会員リストテーブルに記載されているかを判断し、記載されていなければ、ユーザ識別子を前記会員リストテーブルに記載する会員登録手段と、
画像配信要求を受信すると、この画像配信要求に付加されているユーザ識別子が前記会員リストテーブルに記載されているかを判断し、記載されていれば、配信可能な画像のリストを送信する画像リスト送信手段と、
画像選択情報で指示された画像データを前記記憶手段から読み出し、前記携帯電話に送信する画像配信手段と
を有することを特徴とする画像配信サーバ。
【請求項３０】
配信される画像は、毎日更新されることを特徴とする請求項２９に記載の画像配信サーバ。
【請求項３１】
携帯電話の機種毎の画像データが格納された記憶手段と、
携帯電話からの機種情報が付加された画像配信要求に応答し、前記携帯電話の機種情報に対応した画像データを前記記憶手段から読み出して、前記携帯電話に送信する画像配信手段を更に有することを特徴とする請求項２９又は請求項３０に記載の画像配信サーバ。
【請求項３２】
会員の電子メールアドレスが記載されたアドレステーブルと、
配信可能な画像データをダウンロードするためのリンク先が設定された電子メールを、前記アドレステーブルに記載されたアドレスに対して同報送信する手段と、
前記電子メールからのリンクに基づいたアクセスに応答し、画像データを携帯電話に送信する手段と
を有することを特徴とする請求項２９から請求項３１のいずれかに記載の画像配信サーバ。
【請求項３３】
携帯電話から会員登録要求を受信すると、前記会員登録要求を送信した会員のユーザ識別子と対の関係にあるメール識別子を生成する手段と、
前記携帯電話の電子メール送受信手段を起動させると共に、第２のサーバのメールアドレスと前記メール識別子とを前記携帯電話に送信する手段と、
電子メールを受信し、前記電子メールに設定されているメール識別子からユーザ識別子を特定し、特定されたユーザ識別子と前記電子メールに設定されているユーザのメールアドレスとを対にしてアドレステーブルに記載する手段と
を更に有することを特徴とする請求項２９から請求項３２のいずれかに記載の画像配信サーバ。
【請求項３４】
携帯電話に画像を配信する画像配信サーバであって、
画像データを格納する記憶手段と、
画像配信サービスの会員の電子メールアドレスが記載されたアドレステーブルと、
配信可能な画像データを送信するためのリンク先が設定された電子メールを、前記アドレステーブルに記載されたアドレスに対して同報送信する手段と、
前記電子メールに設定されたリンクに基づき、画像データを前記携帯電話に送信する手段と
を有することを特徴とする画像配信サーバ。
【請求項３５】
リンク先から配信される画像は、最新の画像であることを特徴とする請求項３４に記載の画像配信サーバ。
【請求項３６】
携帯電話から会員登録要求を受信すると、前記会員登録要求を送信した会員のユーザ識別子と対の関係にあるメール識別子を生成する手段と、
前記携帯電話の電子メール送受信手段を起動させると共に、第２のサーバのメールアドレスと前記メールの識別子とを前記携帯電話に送信する手段と、
電子メールを受信し、前記電子メールに設定されているメール識別子からユーザ識別子を特定し、特定されたユーザ識別子と前記電子メールに設定されているユーザのメールアドレスとを対にしてアドレステーブルに記載する手段と
を更に有することを特徴とする請求項３４又は請求項３５に記載の画像配信サーバ。
【請求項３７】
携帯電話の機種毎の画像データが格納された記憶手段と、
携帯電話からの機種情報が付加された画像配信要求に応答して、前記携帯電話の機種情報に対応した画像データを前記記憶手段から読み出し、前記携帯電話に送信する画像配信手段を更に有することを特徴とする請求項３４から請求項３６のいずれかに記載の画像配信サーバ。
【請求項３８】
サーバに画像配信を要求し、配信された画像を表示する携帯電話であって、
画像を表示する表示手段と、
アクセス制御された領域を持つ記憶手段と、
画像の配信サービスの会員登録要求を送信する会員登録要求手段と、
画像配信の要求を送信する画像配信要求手段と、
画像を配信するサーバに格納されている複数の画像データのうち、所望の画像データを選択する画像選択情報を送信し、所望の画像データをダウンロードする画像選択手段と、
前記ダウンロードされた画像データを、前記記憶手段のアクセス制御された領域に格納する格納手段と、
前記ダウンロードされた画像を、前記表示手段に表示する画像制御手段と
を有することを特徴とする携帯電話。
【請求項３９】
画像配信の要求をする際に、自己の機種情報を送信する手段を更に有することを特徴とする請求項３８に記載の携帯電話。
【請求項４０】
電子メールを送受信する電子メール送受信手段と、
前記電子メール送受信手段により、電子メールを受信し、前記電子メールに設定されたリンク先にアクセスするアクセス手段と、
前記リンク先からダウンロードした画像を前記表示手段に表示する画像表示制御手段と、
前記リンク先からダウンロードした画像を前記記憶手段のアクセス制御された領域に格納する格納手段と
を更に有することを特徴とする請求項３８又は請求項３９に記載の携帯電話。
【請求項４１】
メール配信サービスの会員登録要求を送信する会員登録要求手段と、
画像を配信するサーバにより起動される電子メール送信手段と、
前記電子メール送信手段が起動されると、画像配信サーバから与えられた画像配信サーバのメールアドレスを電子メールの送信先に設定し、ユーザのメールアドレスを発信元に設定し、第２のサーバから与えられたメール識別子を電子メールに設定して送信先に送信する手段と
を更に有することを特徴とする請求項３８から請求項４０のいずれかに記載の携帯電話。
【発明の詳細な説明】
【技術分野】
【０００１】
本発明は画像配信のシステム及びその方法に関し、特に、サーバに複数の画像を用意し、携帯電話にサーバから画像をダウンロードし、ダウンロードした画像を携帯電話に表示するシステム及びその方法に関する。
【背景技術】
【０００２】
近年、新聞や雑誌などのマスメディアにおいて、携帯電話が注目を浴びている。近年の携帯電話は、従来の設置型の電話のように単なる通話機能のみならず、インターネット等のネットワークに接続してデータの送受信が出来る機能が設けられ、コンピュータのような機能を有している。
【０００３】
一方、人の趣向性は多様であり、携帯電話の待ちうけ画面などについてもユーザの趣向に合わせ、複数の待ち受け画面を用意してある機種も提供されている。
【０００４】
しかしながら、携帯電話では記憶容量が限られており、格納する画像の数も限られたものであった。その為、ユーザの好みにあった画像が用意されているとは限らないという問題があった。
【０００５】
更に、待ち受け画面などに用いられるキャラクタ等の画像は、使用に際していわゆる著作料が発生する場合がある。その場合、携帯電話等の携帯情報処理端末にキャラクタ等の画像を待ち受け画面に使用する会社は、使用するキャラクタの著作権者にそのキャラクタの著作料を支払なければならない。
【０００６】
一方、ユーザの趣向性は多様であり、ユーザのなかには予め携帯電話等に用意された画像を使用しないものもあるが、この場合であっても携帯電話の販売会社はキャラクタの著作料を負担しなければならならず、著作料の無駄も多かった。
【０００７】
これらは結果として、携帯電話のコスト増加を招くという問題があった。
【０００８】
そこで、待ち受け画面等に用いることが出来る画像を配信するサービスが提案されている。
【発明の概要】
【発明が解決しようとする課題】
【０００９】
しかしながら、このサービスは、画像を単に配信するだけであり、配信された画像は他の携帯電話に再配信されたり、加工することが可能であり、著作権侵害の可能性が生じている。
【００１０】
そこで、本発明の目的は、上記問題点を解決することにある。
【００１１】
また、本発明の目的は、著作権の保護を図り、かつユーザの趣向性にあった画像を配信することが出来る画像配信システム及びその方法を提供することにある。
【００１２】
また、従来のプル型のサービスに対してプッシュ型の画像配信のサービスを提供することが出来る画像配信システム及びその方法を提供することにある。
【課題を解決するための手段】
【００１３】
上記本発明の目的は、画像配信システムであって、
移動体通信網と、前記移動体通信網に接続される複数の携帯電話と、前記移動体通信網を経由して前記携帯電話と接続される第１のサーバと、ネットワークと、前記ネットワークを経由して前記第１のサーバと接続される第２のサーバとを有し、
前記携帯電話は、
画像を表示する表示手段と、アクセス制御された領域を持つ記憶手段と、画像の配信サービスの会員登録要求を送信する会員登録要求手段と、画像配信の要求を送信する画像配信要求手段と、前記第２のサーバに格納されている複数の画像データのうち、所望の画像データを選択する画像選択情報を送信し、所望の画像データをダウンロードする画像選択手段と、前記ダウンロードされた画像データを、前記記憶手段のアクセス制御された領域に格納する格納手段と、前記ダウンロードされた画像を、前記表示手段に表示する画像制御手段とを有し、
前記第１のサーバは、
前記携帯電話の固有識別子とこの固有識別子と対の関係にあるユーザ識別子とが対応付けられて記述されたユーザ識別子テーブルと、前記携帯電話の固有識別子に対応するユーザ識別子をユーザ識別子テーブルから検索し、固有識別子をユーザ識別子に変換して前記携帯電話からの要求を第２のサーバに送信する手段とを有し、
前記第２のサーバは、
配信する画像データが格納された記憶手段と、画像配信サービスの会員のユーザ識別子が記述された会員リストテーブルと、前記第１のサーバから会員登録要求を受信すると、この会員登録要求に設定されてるユーザ識別子が前記会員リストテーブルに記載されているかを判断し、記載されていなければ、ユーザ識別子を前記会員リストテーブルに記載する会員登録手段と、前記画像配信要求を受信すると、この画像配信要求に設定されているユーザ識別子が前記会員リストテーブルに記載されているかを判断し、記載されていれば、配信可能な画像のリストを送信する画像リスト送信手段と、画像選択情報で指示された画像データを前記記憶手段から読み出し、前記携帯電話に送信する画像配信手段と
を有することを特徴とする画像配信システムによって達成される。
【００１４】
本発明によれば、配信される画像データをアクセス制御された記憶手段、すなわちユーザが自由に読み出し、読み出した画像を他に再配信したり、加工したりすることが出来ない記憶手段に格納したので、配信した画像の著作権の保護が図れる。
【００１５】
尚、配信される画像は、毎日更新されることが好ましい。
【００１６】
また、前記携帯電話に、自己の機種情報を送信する手段を持たせ、さらに前記第２のサーバに、携帯電話の機種毎の画像データが格納された記憶手段と、前記携帯電話の機種情報に対応した画像データを前記記憶手段から読み出して、前記第１のサーバを介して前記携帯電話に送信する画像配信手段とを持たせれば、携帯電話の機種の違いによって生じる表示の不都合が回避される。
【００１７】
また、前記第1のサーバに、携帯電話の固有識別子と前記携帯電話の機種情報とが対応付けられて記載された機種情報テーブルと、携帯電話からの要求に対して、前記要求に付加されている固有識別子に基づいて、前記機種情報テーブルから前記携帯電話の機種情報を検索し、この機種情報を前記要求に付加して送信する手段とを持たせ
前記第２のサーバに、携帯電話の機種毎の画像データが格納された記憶手段と、要求に付加されている機種情報に対応した画像データを前記記憶手段から読み出して、前記第１のサーバを介して前記携帯電話に送信する画像配信手段とを持たしても上述の構成と同様な効果を得ることが出来る。
【００１８】
また、前記第２のサーバが、会員の電子メールアドレスが記載されたアドレステーブルと、配信可能な画像データをダウンロードするためのリンク先が設定された電子メールを、前記アドレステーブルに記載されたアドレスに対して同報送信する手段と、前記電子メールからのリンクに基づいたアクセスに応答し、画像データを前記携帯電話に送信する手段とを有し、
前記携帯電話が、電子メールを送受信する電子メール送受信手段と、前記電子メール送受信手段により、電子メールを受信し、前記電子メールに設定されたリンク先にアクセスするアクセス手段と、前記リンク先からダウンロードした画像を前記表示手段に表示する画像表示制御手段と、前記リンク先からダウンロードした画像を前記記憶手段のアクセス制御された領域に格納する格納手段とを有するように構成することによって、いわゆるプッシュ型のサービスを提供することができ、さらにユーザがいちいち画像配信のメニューを読み出す手間を省くことが出来る。
【００１９】
また、前記携帯電話が、メール配信サービスの会員登録要求を送信する会員登録要求手段と、前記第２のサーバにより起動される電子メール送信手段と、前記電子メール送信手段が起動されると、第２のサーバから与えられた第２のサーバのメールアドレスを電子メールの送信先に設定し、ユーザのメールアドレスを発信元に設定し、第２のサーバから与えられたメール識別子を電子メールに設定して送信先に送信する手段とを更に有し、
第２のサーバが、会員登録要求を受信すると、前記会員登録要求を送信した会員のユーザ識別子と対の関係にあるメール識別子を生成する手段と、前記携帯電話の電子メール送受信手段を起動させると共に、第２のサーバのメールアドレスと前記メール識別子とを前記携帯電話に送信する手段と、電子メールを受信し、前記電子メールに設定されているメール識別子からユーザ識別子を特定し、特定されたユーザ識別子と前記電子メールに設定されているユーザのメールアドレスとを対にしてアドレステーブルに記載する手段と更に有すれば、メールインターフェイスであってもユーザＩＤと一致したメールアドレスを正確に入手することが出来る。
【００２０】
上記本発明の目的は、画像配信システムであって、
移動体通信網と、前記移動体通信網に接続される複数の携帯電話と、前記移動体通信網を経由して前記携帯電話と接続される第１のサーバと、ネットワークと、前記ネットワークを経由して前記第１のサーバと接続される第２のサーバとを有し、
前記第１のサーバは、携帯電話を前記ネットワークに接続する手段を有し、
前記第２のサーバは、画像データを格納する記憶手段と、画像配信サービスの会員の電子メールアドレスが記載されたアドレステーブルと、配信可能な画像データを送信するためのリンク先が設定された電子メールを、前記アドレステーブルに記載されたアドレスに対して同報送信する手段と、前記電子メールに設定されたリンクに基づき、画像データを前記携帯電話に送信する手段とを有し、
前記携帯電話は、画像を表示する表示手段と、電子メールを受信する電子メール受信手段と、前記電子メール受信手段により、電子メールを受信し、前記電子メールに設定されたリンク先にアクセスするアクセス手段と、前記リンク先からダウンロードした画像を前記表示手段に表示する画像表示制御手段とを有する
ことを特徴とする画像配信システムによって達成される。
【００２１】
本発明によれば、従来のプル型のサービスにはない、プッシュ型の画像配信サービスを提供することが出来る。
【００２２】
尚、リンク先から配信される画像は、最新の画像であることが好ましい。
【００２３】
また、前記携帯電話が、メール配信サービスの会員登録要求を送信する会員登録要求手段と、前記第２のサーバにより起動される電子メール送信手段と、前記電子メール送信手段が起動されると、第２のサーバから与えられた第２のサーバのメールアドレスを電子メールの送信先に設定し、ユーザのメールアドレスを発信元に設定し、第２のサーバから与えられたメール識別子を電子メールに設定して送信先に送信する手段とを更に有し、
前記第２のサーバが、会員登録要求を受信すると、前記会員登録要求を送信した会員のユーザ識別子と対の関係にあるメール識別子を生成する手段と、前記携帯電話の電子メール送受信手段を起動させると共に、第２のサーバのメールアドレスと前記メールの識別子とを前記携帯電話に送信する手段と、電子メールを受信し、前記電子メールに設定されているメール識別子からユーザ識別子を特定し、特定されたユーザ識別子と前記電子メールに設定されているユーザのメールアドレスとを対にしてアドレステーブルに記載する手段と有すれば、メールインターフェイスであってもユーザＩＤと一致したメールアドレスを正確に入手することが出来る。
【００２４】
また、前記携帯電話が、自己の機種情報を送信する手段を有し、
前記第２のサーバが、携帯電話の機種毎の画像データが格納された記憶手段と、前記携帯電話の機種情報に対応した画像データを前記記憶手段から読み出して、前記第１のサーバを介して前記携帯電話に送信する画像配信手段とを有すれば、携帯電話の機種の違いによって生じる表示の不都合が回避される。
【００２５】
また、前記第1のサーバに、携帯電話の固有識別子と前記携帯電話の機種情報とが対応付けられて記載された機種情報テーブルと、携帯電話からの要求に対して、前記要求に付加されている固有識別子に基づいて、前記機種情報テーブルから前記携帯電話の機種情報を検索し、この機種情報を前記要求に付加して送信する手段とを持たせ
前記第２のサーバに、携帯電話の機種毎の画像データが格納された記憶手段と、要求に付加されている機種情報に対応した画像データを前記記憶手段から読み出して、前記第１のサーバを介して前記携帯電話に送信する画像配信手段とを持たしても上述の構成と同様な効果を得ることが出来る。
【００２６】
また、前記携帯電話が、アクセス制御された領域を持つ記憶手段と、ダウンロードされた画像データを、前記記憶手段のアクセス制御された領域に格納する格納手段とを有すれば、配信された画像の著作権を保護することが出来る。
【００２７】
上記本発明の目的は、移動体通信網と、前記移動体通信網に接続される複数の携帯電話と、前記移動体通信網を経由して前記携帯電話と接続される第１のサーバと、ネットワークと、前記ネットワークを経由して前記第１のサーバと接続される第２のサーバとを有するネットワークシステムにおける画像配信方法であって、
携帯電話から画像配信のリクエストに応答し、第１のサーバが前記携帯電話の固有識別子に対応するユーザ識別子を前記リクエストに設定して第２のサーバに送信するステップと、
前記第２のサーバが、前記第１のサーバからのリクエストを受信し、前記リクエストに設定されているユーザ識別子に基づいて、画像配信の是非を照合し、照合の結果が画像配信して良いユーザならば、リクエストされた画像データを前記携帯電話に送信するステップと、
前記携帯電話が、画像データを受信し、受信した画像データをユーザからのアクセスが制限された記憶領域に格納するステップと
を有することを特徴とする画像配信方法によって達成される。
【００２８】
本発明によれば、配信される画像データをアクセス制御された記憶領域、すなわちユーザが自由に読み出し、読み出した画像を他に再配信したり、加工したりすることが出来ない記憶領域に格納するようにしたので、配信した画像の著作権の保護が図れる。
【００２９】
尚、配信される画像は、毎日更新されることが好ましい。
【００３０】
また、第２のサーバに、携帯電話の機種毎の画像データを格納するステップと、
携帯電話が、リクエストを送信する際に自己の機種情報を付加して送信するステップと、
第２のサーバは、前記携帯電話の機種情報に対応した画像データを携帯電話に配信するステップと
を更に有すれば、携帯電話の機種の相違によって生じる表示の不都合を回避することが出来る。
【００３１】
また、前記第1のサーバに、携帯電話の固有識別子と前記携帯電話の機種情報とが対応付けられて記載された機種情報テーブルを作成するステップと、
第２のサーバに、携帯電話の機種毎の画像データを格納するステップと、
第1のサーバが、携帯電話からリクエストに応答して、前記リクエストに付加されている固有識別子に基づいて、前記機種情報テーブルから前記携帯電話の機種情報を検索し、この機種情報を前記要求に付加して第２サーバに送信するステップと、
第２のサーバは、リクエストに付加された機種情報に基づいて、前記携帯電話の機種情報に対応した画像データを携帯電話に配信するステップと
を有しても、上述と同様な効果を得ることが出来る。
【００３２】
また、第２のサーバに、電子メールを配信する会員の電子メールアドレスを記載したアドレステーブルを設けるステップと、
配信可能な画像データをダウンロードするためのリンク先が設定された電子メールを、前記アドレステーブルに記載されたアドレスに対して第２のサーバから同報送信するステップと、
電子メールを受信し、受信した電子メールに設定されたリンク先にアクセスし、画像データをダウンロードし、ダウンロードした画像データの画像を表示するステップと
を有すれば、いわゆるプッシュ型のサービスを提供することが出来る。
【００３３】
また、上記発明に、携帯電話が、電子メールアドレスの登録リクエストを送信するステップと、
第１のサーバが前記登録リクエストにユーザ識別子を設定するステップと、
第２のサーバが、前記登録リクエストに設定されている前記ユーザ識別子と対の関係となる仮識別子を生成するステップと、
前記仮識別子と前記第２のサーバの電子メールアドレスとを前記携帯電話に送信すると共に、前記携帯電話の電子メールの機能を起動させ、前記携帯電話上の電子メールの発信元にユーザの電子メールアドレスを設定し、電子メールの送信先に前記第２サーバの電子メールアドレスを設定し、電子メールに前記仮識別子を設定するステップと、
前記携帯電話から前記設定された電子メールを送信するステップと、
前記第２のサーバが、受信した電子メールから仮識別子を抽出し、仮識別子と対の関係にあるユーザ識別子を検索するステップと、
受信した電子メールの発信元に記載された前記ユーザの電子メールアドレスと、前記検索されたユーザ識別子とを対の関係にしてアドレステーブルに登録するステップとを有すれば、メールインターフェイスであってもユーザＩＤと一致したメールアドレスを正確に入手することが出来る。
【００３４】
上記本発明の目的は、移動体通信網と、前記移動体通信網に接続される複数の携帯電話と、前記移動体通信網を経由して前記携帯電話と接続される第１のサーバと、ネットワークと、前記ネットワークを経由して前記第１のサーバと接続される第２のサーバとを有するネットワークシステムにおける画像配信方法であって、
配信しようとする画像をダウンロードするためのリンク先が設定された電子メールを、予め登録されている電子メールアドレスを送信先として同報送信するステップと、
電子メールを受信し、携帯電話から電子メールに設定されたリンク先に第１のサーバを介して画像の配信をリクエストするステップと、
携帯電話から画像配信のリクエストに応答し、第１のサーバが前記携帯電話の固有識別子に対応するユーザ識別子を前記リクエストに設定して第２のサーバに送信するステップと、
前記第２のサーバが、前記第１のサーバからのリクエストを受信し、前記リクエストに設定されているユーザ識別子に基づいて、画像配信の是非を照合し、照合の結果が画像配信して良いユーザならば、リクエストとで特定される画像データを前記携帯電話に送信するステップと、
前記携帯電話が、画像データを受信し、受信した画像データの画像を表示するステップと
を有することを特徴とする画像配信方法によって達成される。
【００３５】
本発明によれば、従来のプル型のサービスにはない、プッシュ型の画像配信サービスを提供することが出来る。
【００３６】
また、受信した画像データをユーザからのアクセスが制限された記憶領域に格納するステップを更に有すれば、配信した画像の著作権の保護が図れる。
【００３７】
また、配信される画像は、毎日更新されることが好ましい。
【００３８】
また、第２のサーバに、携帯電話の機種毎の画像データを格納するステップと、
携帯電話が、リクエストを送信する際に自己の機種情報を付加して送信するステップと、
第２のサーバが、前記携帯電話の機種情報に対応した画像データを携帯電話に配信するステップと
を更に有すれば、携帯電話の機種の相違によって生じる表示の不都合を回避できる。
【００３９】
また、前記第1のサーバに、携帯電話の固有識別子と前記携帯電話の機種情報とが対応付けられて記載された機種情報テーブルを作成するステップと、
第２のサーバに、携帯電話の機種毎の画像データを格納するステップと、
第1のサーバが、携帯電話からリクエストに応答して、前記リクエストに付加されている固有識別子に基づいて、前記機種情報テーブルから前記携帯電話の機種情報を検索し、この機種情報を前記要求に付加して第２サーバに送信するステップと、
第２のサーバは、リクエストに付加された機種情報に基づいて、前記携帯電話の機種情報に対応した画像データを携帯電話に配信するステップと
を有しても、上述と同様な効果を得ることが出来る。
【００４０】
また、携帯電話が、電子メールアドレスの登録リクエストを送信するステップと、
第１のサーバが前記登録リクエストにユーザ識別子を設定するステップと、
第２のサーバが、前記登録リクエストに設定されている前記ユーザ識別子と対の関係となる仮識別子を生成するステップと、
前記仮識別子と前記第２のサーバの電子メールアドレスとを前記携帯電話に送信すると共に、前記携帯電話の電子メールの機能を起動させ、前記携帯電話上の電子メールの発信元にユーザの電子メールアドレスを設定し、電子メールの送信先に前記第２サーバの電子メールアドレスを設定し、電子メールに前記仮識別子を設定するステップと、
前記携帯電話から前記設定された電子メールを送信するステップと、
前記第２のサーバが、受信した電子メールから仮識別子を抽出し、仮識別子と対の関係にあるユーザ識別子を検索するステップと、
受信した電子メールの発信元に記載された前記ユーザの電子メールアドレスと、前記検索されたユーザ識別子とを対の関係にして登録するステップと
を有すれば、メールインターフェイスであってもユーザＩＤと一致したメールアドレスを正確に入手することが出来る。
【００４１】
上記本発明の目的は、端末と、前記端末と第１のサーバを経由して接続される第２のサーバとを有し、前記第１のサーバが発行する前記端末の端末識別子に基づいて、前記第２のサーバが前記端末を識別する第１の通信方法と、前記第２のサーバが前記端末の電子メールアドレスに基づいて、前記端末を識別する第２の通信方法とが混在する場合にあって、前記端末識別子と対応させて電子メールアドレスを収得する方法であって、
端末が第１の通信方法に基づいて、電子メールアドレスの登録要求を送信するステップと、
第１のサーバが前記登録要求に端末識別子を設定するステップと、
第２のサーバが、前記登録要求に設定されている前記端末識別子と対の関係となる仮識別子を生成するステップと、
第１の通信方法に基づいて、前記仮識別子と前記第２のサーバの電子メールアドレスとを前記端末に送信すると共に、前記端末の電子メールの機能を起動させ、前記端末上の電子メールの発信元に前記端末の電子メールアドレスを設定し、電子メールの送信先に前記第２サーバの電子メールアドレスを設定し、電子メールに前記仮識別子を設定するステップと、
前記端末から前記設定された電子メールを第２の通信方法に基づいて送信するステップと、
前記第２のサーバが、受信した電子メールから仮識別子を抽出し、仮識別子と対の関係にある端末識別子を検索するステップと、
受信した電子メールの発信元に記載された前記端末の電子メールアドレスと、前記検索された端末識別子とを対の関係にして記憶するステップと
を有することを特徴とする電子メールアドレスを収得する方法によって達成される。
【００４２】
尚、仮識別子として端末の端末識別子を用いることも可能である。
【００４３】
上記本発明の目的は、アクセス制御された領域を持つ記憶手段を有する携帯電話に、画像を配信する画像配信サーバであって、
配信する画像データが格納された記憶手段と、
画像配信サービスの会員のユーザ識別子が記述された会員リストテーブルと、
会員登録要求を受信すると、この会員登録要求に付加されているユーザ識別子が前記会員リストテーブルに記載されているかを判断し、記載されていなければ、ユーザ識別子を前記会員リストテーブルに記載する会員登録手段と、
画像配信要求を受信すると、この画像配信要求に付加されているユーザ識別子が前記会員リストテーブルに記載されているかを判断し、記載されていれば、配信可能な画像のリストを送信する画像リスト送信手段と、
画像選択情報で指示された画像データを前記記憶手段から読み出し、前記携帯電話に送信する画像配信手段と
を有することを特徴とする画像配信サーバによって達成される。
【００４４】
また、配信される画像は、毎日更新されることが好ましい。
【００４５】
また、上記画像配信サーバは、携帯電話の機種毎の画像データが格納された記憶手段と、携帯電話からの機種情報が付加された画像配信要求に応答し、前記携帯電話の機種情報に対応した画像データを前記記憶手段から読み出して、前記携帯電話に送信する画像配信手段を更に有すれば、携帯電話の機種に対応した適切な画像を配信することができる。
【００４６】
また、上記画像配信サーバは、会員の電子メールアドレスが記載されたアドレステーブルと、配信可能な画像データをダウンロードするためのリンク先が設定された電子メールを、前記アドレステーブルに記載されたアドレスに対して同報送信する手段と、前記電子メールからのリンクに基づいたアクセスに応答し、画像データを携帯電話に送信する手段とを有すれば、いわゆるプッシュ型のサービスを提供することが出来る。
【００４７】
また、上記画像配信サーバは、携帯電話から会員登録要求を受信すると、前記会員登録要求を送信した会員のユーザ識別子と対の関係にあるメール識別子を生成する手段と、前記携帯電話の電子メール送受信手段を起動させると共に、第２のサーバのメールアドレスと前記メール識別子とを前記携帯電話に送信する手段と、電子メールを受信し、前記電子メールに設定されているメール識別子からユーザ識別子を特定し、特定されたユーザ識別子と前記電子メールに設定されているユーザのメールアドレスとを対にしてアドレステーブルに記載する手段とを更に有すれば、メールインターフェイスであってもユーザＩＤと一致したメールアドレスを正確に入手することが出来る。
【００４８】
上記本発明の目的は、携帯電話に画像を配信する画像配信サーバであって、
画像データを格納する記憶手段と、画像配信サービスの会員の電子メールアドレスが記載されたアドレステーブルと、配信可能な画像データを送信するためのリンク先が設定された電子メールを、前記アドレステーブルに記載されたアドレスに対して同報送信する手段と、前記電子メールに設定されたリンクに基づき、画像データを前記携帯電話に送信する手段とを有することを特徴とする画像配信サーバによって達成される。
【００４９】
本発明によれば、従来のプル型のサービスにはない、プッシュ型の画像配信サービスを提供することが出来る。
【００５０】
尚、リンク先から配信される画像は、最新の画像であることが好ましい。
【００５１】
また、上記画像配信サーバは、携帯電話から会員登録要求を受信すると、前記会員登録要求を送信した会員のユーザ識別子と対の関係にあるメール識別子を生成する手段と、前記携帯電話の電子メール送受信手段を起動させると共に、第２のサーバのメールアドレスと前記メールの識別子とを前記携帯電話に送信する手段と、電子メールを受信し、前記電子メールに設定されているメール識別子からユーザ識別子を特定し、特定されたユーザ識別子と前記電子メールに設定されているユーザのメールアドレスとを対にしてアドレステーブルに記載する手段とを更に有すれば、メールインターフェイスであってもユーザＩＤと一致したメールアドレスを正確に入手することが出来る。
【００５２】
また、上記画像配信サーバは、携帯電話の機種毎の画像データが格納された記憶手段と、
携帯電話からの機種情報が付加された画像配信要求に応答して、前記携帯電話の機種情報に対応した画像データを前記記憶手段から読み出し、前記携帯電話に送信する画像配信手段を更に有すれば、携帯電話の機種に適切に対応した画像を配信することができる。
【００５３】
上記本発明の目的は、サーバに画像配信を要求し、配信された画像を表示する携帯電話であって、
画像を表示する表示手段と、アクセス制御された領域を持つ記憶手段と、画像の配信サービスの会員登録要求を送信する会員登録要求手段と、画像配信の要求を送信する画像配信要求手段と、画像を配信するサーバに格納されている複数の画像データのうち、所望の画像データを選択する画像選択情報を送信し、所望の画像データをダウンロードする画像選択手段と、前記ダウンロードされた画像データを、前記記憶手段のアクセス制御された領域に格納する格納手段と、前記ダウンロードされた画像を、前記表示手段に表示する画像制御手段とを有することを特徴とする携帯電話によって達成される。
【００５４】
本発明によれば、配信される画像データをアクセス制御された記憶手段、すなわちユーザが自由に読み出し、読み出した画像を他に再配信したり、加工したりすることが出来ない記憶手段に格納したので、配信した画像の著作権の保護が図れる。
【００５５】
また、上記携帯電話は、画像配信の要求をする際に、自己の機種情報を送信する手段を更に有すれば、自己の機種に適切な画像が配信される。
【００５６】
また、上記携帯電話は、電子メールを送受信する電子メール送受信手段と、前記電子メール送受信手段により、電子メールを受信し、前記電子メールに設定されたリンク先にアクセスするアクセス手段と、前記リンク先からダウンロードした画像を前記表示手段に表示する画像表示制御手段と、前記リンク先からダウンロードした画像を前記記憶手段のアクセス制御された領域に格納する格納手段とを更に有すれば、いわゆるプッシュ型のサービスの提供を受けることができる。
【００５７】
また、上記携帯電話は、メール配信サービスの会員登録要求を送信する会員登録要求手段と、画像を配信するサーバにより起動される電子メール送信手段と、前記電子メール送信手段が起動されると、画像配信サーバから与えられた画像配信サーバのメールアドレスを電子メールの送信先に設定し、ユーザのメールアドレスを発信元に設定し、画像配信サーバから与えられたメール識別子を電子メールに設定して送信先に送信する手段とを更に有することが好ましい。
【発明の効果】
【００５８】
本発明によれば、配信される画像データをアクセス制御された記憶手段、すなわちユーザが自由に読み出し、読み出した画像を他に再配信したり、加工したりすることが出来ない記憶手段に格納したので、配信した画像の著作権の保護が図れる。
【図面の簡単な説明】
【００５９】
【図１】図１は本発明の第１の実施例のブロック図である。
【図２】図２はインフォメーション・プロバイダーサーバのブロック図である。
【図３】図３は会員リストテーブルの一例を示した図である。
【図４】図４は画像フォルダの一例を示した図である。
【図５】図５は本発明が提供する画像の用いられ方の一例を示した図である。
【図６】図６はゲートウェイサーバのブロック図である。
【図７】図７はユーザＩＤリストテーブルの一例を示した図である。
【図８】図８は携帯電話のブロック図である。
【図９】図９は記憶部の概念図である。
【図１０】図１０は第１の実施例における会員登録の動作フローチャートである。
【図１１】図１１は第１の実施例における画像のダウンロードの動作フローチャートである。
【図１２】図１２は第２の実施例における画像フォルダの一例を示した図である。
【図１３】図１３は第２の実施例における画像のダウンロードの動作フローチャートである。
【図１４】図１４は第３の実施例における会員登録の動作フローチャートである。
【図１５】図１５はメール配信会員リストテーブルの一例を示した図である。
【図１６】図１６は第３の実施例における画像のダウンロードの動作フローチャートである。
【発明を実施するための形態】
【００６０】
本発明は、配信される画像データをアクセス制御された記憶手段、すなわちユーザが自由に読み出し、読み出した画像を他に再配信したり、加工したりすることが出来ない記憶手段に格納することにより、配信した画像の著作権の保護を図ることを特徴とする。
【００６１】
また、本発明は、同一のコンテンツに対して携帯電話の機種に応じた画像データを用意し、機種に応じた画像データを配信することを特徴とする。
【００６２】
また、本発明は、毎日更新される画像の情報を電子メールでユーザに通知し、ユーザは受信した電子メールに設定されたリンクを操作することにより、最新の画像データをダウンロードするように構成し、いわゆるプッシュ型のサービスのシステムを提供することを特徴とする。
【実施例１】
【００６３】
本発明の第１の実施例を説明する。
【００６４】
図１は第１の実施例のブロック図である。
【００６５】
図１中、１はコンテンツを提供するインフォメーション・プロバイダーサーバ（ＩＰサーバ）、２はゲートウェイサーバであり、３は基地局であり、４は携帯電話であり、５はゲートウェイサーバ２側の固定通信網であり、６はゲートウェイサーバ２とＩＰサーバ１とを結ぶ通信網（インターネット）であり、７は移動体通信網である。
【００６６】
次に、上述した各構成要素について説明する。
【００６７】
まず、ＩＰサーバ１について詳細に説明する。
【００６８】
図２はＩＰサーバ１のブロック図である。図２中、２１はデータの送受信を行う送受信部であり、２２は送受信部２１で送受信されるデータを変調・復調する変復調部であり、２３はプログラムやユーザリスト、及び配信する画像データ等が格納されたハードディスクであり、２４はハードディスク２３に格納されたプログラムに従って、ＨＴＴＰリクエスト及びＨＴＴＰレスポンス等の処理を行うＭＰＵである。
【００６９】
ハードディスク２３には、会員リストテーブル３１と、配信する画像データが格納された画像フォルダ３２とが格納されている。
【００７０】
会員リストテーブル３１は、画像配信サービスの会員のユーザＩＤと会員登録がされた入会日とがコンテンツ毎に記述されたテーブルである。ユーザＩＤは、ユーザを特定する為の識別子であり、後述するゲートウェイサーバ２から送信されてくる。図３は会員リストテーブル３１の一例を示した図であり、提供するコンテンツがコンテンツＡからコンテンツＸまであり、各コンテンツの会員のユーザＩＤと会員の入会日とが対応付けられて記載されていることを示している。
【００７１】
画像フォルダ３２は配信される画像データが格納されるフォルダであり、そのディレクトリの構造は、図４に示される如く、最新の画像データが格納される本日分の画像フォルダ３２１とバックナンバーの画像データが格納されるバックナンバー用の画像フォルダ３２２とから構成される。各フォルダに格納されている画像は、携帯電話４のディスプレイに表示する為の画像であり、例えば、図５に示される如く、携帯電話４の待ちうけ画面として用いることが出来る。また、各画像データは、図４に示される如く、画像を識別するための識別子が振られている。図４ではコンテンツＡの画像フォルダ３２１と画像フォルダ３２２とに格納されている画像（キャラクタ）を示している。尚、本サービスで配信される画像データは毎日追加されるため、最新の画像データが当日分の画像フォルダ３２１に格納されると、画像フォルダ３２１に格納されていた画像データは画像データの日付とともにバックナンバー用の画像フォルダ３２２に移される。尚、バックナンバー用の画像フォルダ３２２に格納された画像データは、一定の期間経過後自動的に消去される。
【００７２】
次に、ゲートウェイサーバ２について説明する。
【００７３】
ゲートウェイサーバ２は、ＩＰサーバ１へのゲートウェイの役割を持ち、携帯電話４からの要求に従って、ＩＰサーバ１に携帯電話からの情報を送信する役割を有する。
【００７４】
図６はゲートウェイサーバ２のブロック図である。図６中、６１はデータの送受信を行う送受信部であり、６２は送受信部６１で送受信されるデータを変調・復調する変復調部であり、６３はプログラム等が格納されたハードディスクであり、６４はプログラムに従って、携帯電話４とＩＰサーバ１との中継機能の処理を行うＭＰＵである。
【００７５】
ハードディスク６３には、プログラム以外にユーザＩＤリストテーブル７０が格納されている。このユーザＩＤリストテーブル７０は、図７に示される如く、携帯電話４の電話番号と、この電話番号の携帯電話４を識別するための固有識別子と、この固有識別子と対の関係にあるユーザＩＤとが対応付けられて記述されたテーブルである。
【００７６】
ゲートウェイサーバ２を介して行われるウェブインターフェイスでは、ゲートウェイサーバ２は、上述したユーザＩＤリストテーブル７０を用いて、携帯電話４からリクエストがあると、携帯電話４のリクエストに付与されてくる固有識別子を、この固有識別子に対応するユーザＩＤに変換し、リクエストをＩＰサーバ１に転送するように構成される。
【００７７】
尚、このようなゲートウェイサーバ２の代表的なものとして、NTT  DoCoMoが提供しているｉモードサービスにおけるｉモードサーバがある。
【００７８】
次に、携帯電話４について説明する。図８は携帯電話４のブロック図である。
【００７９】
携帯電話４は、画像を表示するディスプレイ９１と、前記ディスプレイ９１に画像を表示する為のＶＲＡＭ９２（Video Random Access Memory）と、データを送受信する為の送受信部９３と、送受信部９３で送受信されるデータの変調及び復調を行う変復調部９４と、データが格納される記憶部９５と、画像の選択などに用いられる操作部９６と、各部の制御及びデータの処理を行うＣＰＵ９７とを有している。
【００８０】
携帯電話４は、ＩＰサーバ１にリクエストなどを送信する場合、自己を識別するための固有識別子をリクエスト等に付加して送信するように構成されている。
【００８１】
記憶部９５は、図９に示される如く、携帯電話４のユーザが自由に読み書き出来る領域９８と、ユーザが自由に読み書きすることが出来ない領域９９とに分けられている。領域９８には、ユーザの電話帳などのデータが格納され、ユーザにより自由に書き込みや、読み出し、消去が可能である。一方、領域９９は、ユーザが自由に読み出しや、加工ができず、他に配布されては困るようなデータが格納される。例えば、本発明のサービスで配信されるキャラクタの画像データ等は、著作権の保護の観点より、領域９９に格納される。
【００８２】
さらに、携帯電話４は、ＩＰサーバ１に格納されている画像データを、送受信部９３を介してダウンロードすることが出来る。そして、ダウンロードされた画像データをディスプレイ９１に表示させ、待ち受け画面として使用することが可能である。また、ダウンロードした画像データは、記憶部９５の領域９９に格納することができ、一定の条件の元に再度、ディスプレイ９１に表示させることも可能である。
【００８３】
次に、上述の構成における本発明の実施例の動作を説明する。尚、本動作の説明にあたって、画像配信サービスを利用するための会員登録の動作と、携帯電話４に画像をダウンロードする動作とに分けて説明する。
【００８４】
＜会員登録＞
本サービスを利用するためには、まず会員登録が行われる。
【００８５】
図１０は会員登録の動作を示す動作フローチャートである。
【００８６】
まず、携帯電話４のユーザは、携帯電話４の操作部９６を操作し、会員登録を行うとするＩＰサーバ１のサイトを選択し、ＨＴＴＰリクエストを送信する（Ｓｔｅｐ  １００）。図１０では、携帯電話４からＨＴＴＰリクエストとして、"GET http://IP1.menu.or.jp/uid=xxxxxxx"を送信したことを示している。尚、上記のリクエストの例として、"IP1"はＩＰサーバ１を、"menu"は会員登録のメニュー画面を、"uid=xxxxxxx"のうち"xxxxxxx"は携帯電話４の固有識別子をそれぞれ示している。
【００８７】
リクエストを受信したゲートウェイサーバ２では、ユーザＩＤリストテーブル７０から携帯電話４の固有識別子に対応するユーザＩＤを検索し、受信したリクエストに付加されている固有識別子を、検索したユーザＩＤに変換してＩＰサーバ１に送信する（Ｓｔｅｐ  １０１）。本動作では、携帯電話４からのリクエストに付加されている固有識別子は"xxxxxxx"であるので、この固有識別子に対応したユーザＩＤをユーザＩＤリストテーブル７０から検索すると、"xxxxxxx"に対応するユーザＩＤは"abcdefgh"である。そこで、"xxxxxxx"を"abcdefgh"に変換し、"GET http://IP1.menu.or.jp/uid= abcdefgh "をＩＰサーバ１に送信する。
【００８８】
ＩＰサーバ１では、受信したリクエスト"GET http://IP1.menu.or.jp/uid= abcdefgh "のうち"uid= abcdefgh"を抽出し、該当するユーザＩＤが既に登録されているか否かを会員リストテーブル３１を検索して照合する。会員リストテーブル３１に該当するユーザＩＤが記載されていなければ、会員登録用のＨＴＭＬソースをレスポンスとしてをゲートウェイサーバ２を介して送信する。（Ｓｔｅｐ  １０２）。
【００８９】
携帯電話４ではレスポンスを受信し、画面に表示された指示に従って、会員登録のリクエストを送信する（Ｓｔｅｐ  １０３）。例えば、携帯電話４からのリクエストとして"http://IP1.request.or.jp/uid=xxxxxxx"を送信したとする。ここで、"request"は会員登録の要求を示している。
【００９０】
ゲートウェイサーバ２では、携帯電話４からのリクエスト"http://IP1.request.or.jp/uid=xxxxxxx"を受信し、上述したＳｔｅｐ  １０１と同様な動作、すなわち固有識別子をユーザＩＤに変換してＩＰサーバ１に送信する（Ｓｔｅｐ  １０４）。
【００９１】
ＩＰサーバ１では、携帯電話４からの会員登録のリクエストを受信し、リクエストに記載されているユーザＩＤ、本例では"abcdefgh "を新たに会員リストテーブル３１に記載し、会員登録の処理を行う（Ｓｔｅｐ  １０５）。その後、ゲートウェイサーバ２を介して、会員登録完了のレスポンスを携帯電話４に送信する（Ｓｔｅｐ  １０６）。
【００９２】
以上の動作により、会員登録が完了する。
＜画像データの配信＞
次に、会員登録後の画像データの配信動作について説明する。
【００９３】
図１１は画像データ配信の動作を示す動作フローチャートである。
【００９４】
まず、携帯電話４のユーザは、携帯電話４の操作部９６を操作し、画像配信を行っているＩＰサーバ１のサイトを選択し、ＨＴＴＰリクエストを送信する（Ｓｔｅｐ  ２００）。図１１では、携帯電話４からＨＴＴＰリクエストとして、"GET http://IP1.channel.or.jp/uid=xxxxxxx"を送信したことを示している。尚、上記のリクエストの例として、"IP1"はＩＰサーバ１を、"channel"は画像配信のメニューの要求を、"uid=xxxxxxx"のうち"xxxxxxx"は携帯電話４の固有識別子をそれぞれ示している。
【００９５】
リクエストを受信したゲートウェイサーバ２では、ユーザＩＤリストテーブル７０から携帯電話４の固有識別子に対応するユーザＩＤを検索し、受信したリクエストに付加されている固有識別子を、検索したユーザＩＤに変換してＩＰサーバ１に送信する（Ｓｔｅｐ  ２０１）。本動作では、携帯電話４からのリクエストに付加されている固有識別子は"xxxxxxx"であるので、この固有識別子に対応したユーザＩＤをユーザＩＤリストテーブル７０から検索すると、ユーザＩＤは"abcdefgh"である。そこで、"xxxxxxx"を"abcdefgh"に変換し、"GET http://IP1.channel.or.jp/uid= abcdefgh"をＩＰサーバ１に送信する。
【００９６】
ＩＰサーバ１では、受信したリクエスト"GET http://IP1.channel.or.jp/uid= abcdefgh"のうちユーザＩＤである" abcdefgh"が既に登録されているか否かを会員リストテーブル３１を検索して照合する（Ｓｔｅｐ  ２０２）。会員登録の動作において、携帯電話４のユーザは会員登録を済ませてあるので、会員リストテーブル３１にユーザＩＤが記載されている。そこで、画像配信用のＨＴＭＬソースをレスポンスとして、ゲートウェイサーバ２を介して携帯電話４に送信する。
【００９７】
携帯電話４ではレスポンスを受信し、画面に表示された指示に従って、希望する画像の配信を要求するリクエストを送信する（Ｓｔｅｐ  ２０３）。例えば、携帯電話４からのリクエストとして"http://IP1.channel.or.jp/chara=new1/uid=xxxxxxx"を送信したとする。尚、送信されるリクエストのうち" chara=new1"は配信を希望する画像の識別情報であり、"new1"は最新の画像、すなわち本日のキャラクタの画像データを示すものとする。
【００９８】
ゲートウェイサーバ２では、携帯電話４からのリクエスト"http://IP1.channel.or.jp/chara=new1/uid= xxxxxxx"を受信し、上述したＳｔｅｐ  ２０１と同様な動作、すなわち固有識別子をユーザＩＤに変換してＩＰサーバ１に送信する（Ｓｔｅｐ  ２０４）。
【００９９】
ＩＰサーバ１では、携帯電話４からのリクエストを受信し、Ｓｔｅｐ  ２０２と同様に会員リストテーブルを検索し、会員であることが確認されれば、リクエストに記載されている画像データの識別情報に基づいて、画像フォルダ３２に格納されている画像データを読み出し、ゲートウェイサーバ２を介して携帯電話４に送信する（Ｓｔｅｐ  ２０５）。本動作では、リクエストが"http://IP1.channel.or.jp/chara=new1/uid= abcdefgh"であるので、画像の識別情報は"new1"であり、これは本日のキャラクタの画像データを示しており、本日の画像フォルダ３２１から画像データを読み出し、ゲートウェイサーバ２を介して携帯電話４に送信する。
【０１００】
携帯電話４では画像データを受信し、受信した画像データをＶＲＡＭ９２に格納し、ディスプレイに表示する（Ｓｔｅｐ  ２０６）。一方、ダウンロードした画像データを再び表示する場合には、記憶部９５の領域９９に格納される（Ｓｔｅｐ  ２０７）。
【０１０１】
以上の動作により、携帯電話４にキャラクタの画像データがダウンロードされる。また、ダウンロードした画像データを記憶する場合であっても、画像データはユーザがアクセス制御された記憶部の領域に格納されるので、格納された画像データを他の者に送ったり、新たに加工したりといった著作権を侵害するような行為がされることはない。
【実施例２】
【０１０２】
第２の実施例を説明する。
【０１０３】
現在、販売されている携帯電話は各種あり、それぞれ画面サイズや表示できる画像データの大きさなど様々である。従って、配信する画像データを一種類のみ用意しただけでは、携帯電話の機種によっては正確に表示されないばかりか、全く表示できない場合もありうる。そこで、第２の実施例では、同一のコンテンツに対して携帯電話の機種に応じた画像データを用意し、機種に応じた画像データを配信する機能を第１の実施例に加えたことを特徴とする。尚、第２の実施例の説明にあたって、第１の実施例と同様なものについては、同じ図番を付し、詳細な説明は省略する。
【０１０４】
現在各種のサービスでは、携帯電話からリクエストを送信する際に、自己の機種情報を送信している。そこで、第２の実施例では、この機種情報をＩＰサーバ１で判断し、機種に応じた画像データを選択して配信するように構成する。そのため、用意する画像データとして、図１２に示される如く、画像フォルダ３２に各機種毎のフォルダを用意し、各機種のフォルダにその機種に対応する画像データを格納する。図１２では、機種ＡＡＡから機種ＺＺＺまでのフォルダが設けられ、各機種のフォルダ、例えば機種ＮＮＮのフォルダに当日分の画像データが格納されるフォルダと過去の画像データが格納されるバックナンバーのフォルダが設けられていることを示している。尚、同様に画像配信用のメニューも機種毎に用意する。
【０１０５】
以下、上記の構成における動作を説明する。
【０１０６】
図１３は機種別の画像データ配信の動作を示す動作フローチャートである。
【０１０７】
まず、携帯電話４のユーザは、携帯電話４の操作部９６を操作し、画像配信を行っているＩＰサーバ１のサイトを選択し、ＨＴＴＰリクエストを送信する（Ｓｔｅｐ  ３００）。図１４では、携帯電話４からＨＴＴＰリクエストとして、"GET http://IP1.channel.or.jp/uid=xxxxxxx user=NNN"を送信したことを示している。尚、上記のリクエストの例として、"IP1"はＩＰサーバ１を、"channel"は画像配信のメニューの要求を、"uid=xxxxxxx"のうち"xxxxxxx"は携帯電話４の固有識別子を、" user=NNN"は携帯電話４の機種をそれぞれ示している。
【０１０８】
リクエストを受信したゲートウェイサーバ２では、ユーザＩＤリストテーブル７０から携帯電話４の固有識別子に対応するユーザＩＤを検索し、受信したリクエストに付加されている固有識別子を、検索したユーザＩＤに変換してＩＰサーバ１に送信する（Ｓｔｅｐ  ３０１）。本動作では、携帯電話４からのリクエストに付加されている固有識別子は"xxxxxxx"であるので、この固有識別子に対応したユーザＩＤをユーザＩＤリストテーブル７０から検索すると、対応するユーザＩＤは"abcdefgh"である。そこで、"xxxxxxx"を"abcdefgh"に変換し、"GET http://IP1.channel.or.jp/uid= abcdefgh user=NNN "をＩＰサーバ１に送信する。
【０１０９】
ＩＰサーバ１では、受信したリクエスト"GET http://IP1.channel.or.jp/uid= abcdefgh user=NNN"のうちユーザＩＤである"abcdefgh"が、既に登録されているか否かを会員リストテーブル３１を検索して照合する（Ｓｔｅｐ  ３０２）。会員登録の動作において、携帯電話４のユーザは会員登録を済ませてあるので、会員リストテーブル３１にユーザＩＤが記載されている。
【０１１０】
そこで、機種情報"user=NNN"から機種ＮＮＮ用の画像配信用のＨＴＭＬソースをレスポンスとして、ゲートウェイサーバ２を介して携帯電話４に送信する（Ｓｔｅｐ  ３０３）。
【０１１１】
携帯電話４ではレスポンスを受信し、画面に表示された指示に従って、希望する画像の配信を要求するリクエストを送信する（Ｓｔｅｐ  ３０４）。例えば、携帯電話４からのリクエストとして"http://IP1.channel.or.jp/chara=new1/uid=xxxxxxx user=NNN"を送信したとする。尚、送信されるリクエストのうち" chara=new1"は配信を希望する画像の識別情報であり、"new1"は最新の画像、すなわち本日のキャラクタの画像データを示すものとする。
【０１１２】
ゲートウェイサーバ２では、携帯電話４からのリクエスト"http://IP1.channel.or.jp/chara=new1/uid=xxxxxxx user=NNN"を受信し、上述したＳｔｅｐ  ３０１と同様な動作、すなわち固有識別子をユーザＩＤに変換してＩＰサーバ１に送信する（Ｓｔｅｐ  ３０５）。
【０１１３】
ＩＰサーバ１では、携帯電話４からのリクエストを受信し、Ｓｔｅｐ  ３０２と同様に会員リストテーブルを検索する（Ｓｔｅｐ  ３０６）。会員であることが確認されれば、機種情報から機種用の画像フォルダに行き、さらにリクエストに記載されている画像データの識別情報に基づいて、画像フォルダに格納されている画像データを読み出し、ゲートウェイサーバ２を介して携帯電話４に送信する（Ｓｔｅｐ  ３０７）。本動作では、リクエストが"http://IP1.channel.or.jp/chara=new1/uid= abcdefgh user=NNN"であるので、機種情報は"NNN"であり、画像の識別情報は"new1"である。これは、機種ＮＮＮ用の本日のキャラクタの画像データを示しており、機種ＮＮＮ用の本日の画像フォルダから画像データを読み出し、ゲートウェイサーバ２を介して携帯電話４に送信する。
【０１１４】
携帯電話４では画像データを受信し、受信した画像データをＶＲＡＭ９２格納し、ディスプレイに表示する（Ｓｔｅｐ  ３０８）。一方、ダウンロードした画像データを再び表示する場合には、記憶部９５の領域９９に格納される（Ｓｔｅｐ  ３０９）。
【０１１５】
以上の動作により、携帯電話４には、その機種に最適な画像データが配信されることになり、機種によっては表示することができないと言った不都合が回避できる。
【０１１６】
尚、上述の第２の実施例では、携帯電話４の機種情報を、携帯電話４から送信するように構成した。しかし、携帯電話４の機種情報と携帯電話４の固有識別子とが対応して記載されたテーブルを、予めゲートウェイサーバ２に用意しておき、携帯電話４からのリクエストがあった場合、リクエストに付加されている固有識別子に基づいて、前記テーブルから携帯電話４の機種情報を検索し、検索した機種情報をリクエストに付加してＩＰサーバ１に送信するように構成しても良い。
【０１１７】
このように構成してもＩＰサーバ１は、必要とする携帯電話４の機種情報を入手することが出来るので、携帯電話の機種にあった画像データを選択することが出来る。
【実施例３】
【０１１８】
第３の実施例を説明する。
【０１１９】
現在、携帯電話はデータの送受信ができることは既に述べたが、これを応用して各社いわゆる電子メールのサービスを受けることも出来る。一方、上述した第１の実施例及び第２の実施例は、いわゆるプル型のサービスである。そこで、第３の実施例では、毎日更新される画像の情報を電子メールでユーザに通知し、ユーザは受信した電子メールに設定されたリンクを操作することにより、最新の画像データをダウンロードするように構成し、いわゆるプッシュ型のサービスのシステムを提供することを特徴とする。
【０１２０】
また、第３の実施例では電子メールを用いるため、上述した第１の実施例及び第２の実施例のようにウェブインターフェイス、すなわちＨＴＴＰ(Hyper Text Transfer Protocol)の通信方式のみならず、メールインターフェイス、すなわちＳＭＴＰ(Simple Mail Transfer Protocol)の通信方式も用いられる。通常、ＳＭＴＰの通信方式では、ゲートウェイサーバ２は、電子メールにユーザＩＤを付加することをしない。そこで、ユーザＩＤとの関係を維持するため、特別な処理が行われる。
【０１２１】
以下、構成を述べる。尚、第３の実施例の説明にあたって、第１の実施例及び第２の実施例と同様なものについては、同じ図番を付し、詳細な説明は省略する。
【０１２２】
第３の実施例では、ＨＴＴＰの通信方式に基づき、携帯電話４からのリクエストに応答し、例えばＣＧＩスクリプト等の機能を用いて、携帯電話４の電子メール機能を起動させる手段と、携帯電話４から送信されてきた電子メールの配信を希望する会員のメール配信リストを作成する手段と、ＳＭＴＰの通信方式に基づき、メール配信リストに記載された会員に電子メールを通知する手段とを、ＩＰサーバ１に設ける。
【０１２３】
さらに、上述したように、電子メールの送受信は、ＳＭＴＰの通信方式で行われるので、ＩＰサーバ１はユーザを識別するユーザＩＤを電子メールからは入手することはできない。そこで、入手したユーザＩＤと対の関係にあるメール識別子を生成する手段を設け、生成したメール識別子を送信する電子メールに設定して送信するように構成する。
【０１２４】
尚、これらの手段は、ＩＰサーバ１のＭＰＵ２４に実現される。
【０１２５】
以下に第３の実施例の動作を説明する。尚、本動作の説明にあたって、メール配信サービスを利用するための会員登録の動作と、携帯電話４に画像をダウンロードする動作とに分けて説明する。
【０１２６】
＜メール配信会員登録＞
本サービスを利用するためには、まずメール配信の会員登録が行われる。
【０１２７】
図１４はメール配信会員登録の動作を示す動作フローチャートである。
【０１２８】
まず、携帯電話４のユーザは、携帯電話４の操作部９６を操作し、会員登録を行うとするＩＰサーバ１のサイトを選択し、ＨＴＴＰの通信方式に基づいたＨＴＴＰリクエストを送信する（Ｓｔｅｐ  ４００）。図１４では、携帯電話４からＨＴＴＰリクエストとして、"http://IP1.mail.or.jp/uid=xxxxxxx user=NNN"を送信したことを示している。尚、上記のリクエストの例として、"IP1"はＩＰサーバ１を、"mail"はメール配信会員登録のメニュー画面を、"uid=xxxxxxx"のうち"xxxxxxx"は携帯電話４の固有識別子を、"user=NNN"は携帯電話４の機種をそれぞれ示している。
【０１２９】
リクエストを受信したゲートウェイサーバ２では、ＨＴＴＰの通式方式に基づくリクエストなので、ユーザＩＤリストテーブル７０から携帯電話４の固有識別子に対応するユーザＩＤを検索し、受信したリクエストに付加されている固有識別子を、検索したユーザＩＤに変換してＩＰサーバ１に送信する（Ｓｔｅｐ  ４０１）。本動作では、携帯電話４からのリクエストに付加されている固有識別子は"xxxxxxx"であるので、この固有識別子に対応したユーザＩＤをユーザＩＤリストテーブル７０から検索すると、"xxxxxxx"に対応するユーザＩＤは"abcdefgh"である。そこで、"xxxxxxx"を"abcdefgh"に変換し、"http://IP1.mailmenu.or.jp/uid= abcdefgh user=NNN"をＩＰサーバ１に送信する。
【０１３０】
ＩＰサーバ１では、受信したリクエスト"http://IP1.mail.or.jp/uid=abcdefgh user=NNN"のうちユーザＩＤ"abcdefgh"が、既に登録されているか否かをメール配信会員リストテーブル１５０を検索して照合する。図１５はメール配信会員リストテーブル１５０の一例を示した図であり、メール配信会員リストテーブル１５０には、メール配信サービスの会員のユーザＩＤと会員のメールアドレスと会員登録がされた入会日とが対応されてコンテンツ毎に記述されている。メール配信会員リストテーブル１５０に該当するユーザＩＤが記載されていなければ、携帯電話４からの会員登録のリクエストを受信し、携帯電話４の電子メールの機能、例えばメーラーのプログラムを、ＣＧＩスクリプトなどによって起動させるレスポンスを送信する。この際、抽出したユーザＩＤ"abcdefgh"と一対の関係に有る識別子、例えば"200000504"を生成する。そして、この生成したメール識別子"200000504"とＩＰサーバ１が持っているメールアドレス、例えば"mail@IP1.or.jp"とをレスポンスに付加して送信する（Ｓｔｅｐ  ４０３）。
【０１３１】
以上の処理が、ＨＴＴＰの通信方式で行われる。
【０１３２】
尚、後述するＳｔｅｐ  ４０５及びＳｔｅｐ４０７の処理はＳＭＴＰの通信方式で行われるので、ゲートウェイサーバ２については説明を省略する。
【０１３３】
携帯電話４ではレスポンスを受信すると、電子メール送受信機能が起動される（Ｓｔｅｐ  ４０４）。そして、電子メールの送信先がＩＰサーバ１のメールアドレス"mail@IP1.or.jp"、メールの発信元がユーザ（携帯電話４）のメールアドレス"user@xxx.or.jp"となるように設定される。また、受信したメール識別子"20000204"も送信するメールに設定される（Ｓｔｅｐ  ４０５）。そして、これらの設定がされたメールを、ＳＭＴＰの通信方式に基づいて送信する。
【０１３４】
ＩＰサーバ１では、携帯電話４からの電子メールを受信し、電子メールに設定されているメール識別子"20000504"からユーザＩＤを特定する。さらに電子メールの発信元"user@xxx.or.jp"からユーザのメールアドレスを特定する。これにより、ユーザＩＤ"abcdefgh"とメールアドレス"user@xxx.or.jp"とが対の関係に結び付けられ、記憶される（Ｓｔｅｐ  ４０６）。
【０１３５】
続いて、会員登録の確認用のサイトを用意する。この確認用のサイトはメールアドレスと結び付けられたユーザＩＤを持つ携帯電話４のみがアクセスすることが出来るように設定される。そして、電子メールの送信先のアドレスとしてユーザのメールアドレスを、発信元としてＩＰサーバ１のメールアドレスをそれぞれ設定し、ユーザＩＤ専用のサイトのリンク先を設定した会員登録の確認用メールを作成する（Ｓｔｅｐ  ４０７）。図１４では、電子メールの送信先のアドレスとしてユーザのメールアドレス"user@xxx.or.jp"を、発信元としてＩＰサーバ１のメールアドレス"mail@IP1.or.jp"をそれぞれ設定し、ユーザＩＤ専用のサイトのリンク先として"IP1.confirmation1.or.jp"を設定したことを示している。
【０１３６】
携帯電話４では、登録確認ための電子メールを受信し、メール配信を登録するならば、受信した電子メールに設定されているリンクボタンを押し、ＨＴＴＰの通信方式によるＨＴＴＰリクエストが送信される（Ｓｔｅｐ  ４０８）。
【０１３７】
ＨＴＴＰの通信方式によるＨＴＴＰリクエストなので、リクエストを受信したゲートウェイサーバ２では、ユーザＩＤリストテーブル７０から携帯電話４の固有識別子に対応するユーザＩＤを検索し、受信したリクエストに付加されている固有識別子を、検索したユーザＩＤに変換してＩＰサーバ１に送信する（Ｓｔｅｐ  ４０９）。本動作では、携帯電話４からのリクエストに付加されている固有識別子は"xxxxxxx"であるので、この固有識別子に対応したユーザＩＤをユーザＩＤリストテーブル７０から検索すると、"xxxxxxx"に対応するユーザＩＤは"abcdefgh"である。そこで、"xxxxxxx"を"abcdefgh"に変換し、"http://IP1.confirmation1.or.jp/uid=abcdefgh user=NNN"をＩＰサーバ１に送信する。
【０１３８】
ＩＰサーバ１では、リクエストを受信し、サイトのＨＴＭＬソースを送信する（Ｓｔｅｐ  ４１０）。
【０１３９】
携帯電話４では、ＨＴＭＬソースを受信し、画面に表示させる。登録をするならば、画面に表示された”ＯＫ”ボタンを押し、会員登録のリクエストを送信する（Ｓｔｅｐ  ４１１）。図１４では、ＨＴＴＰリクエストとして、"http://IP1.confirmation1.or.jp/ok/uid=xxxxxxxx user=NNN"を送信したことを示している。
【０１４０】
ＨＴＴＰの通信方式によるＨＴＴＰリクエストなので、リクエストを受信したゲートウェイサーバ２では、ユーザＩＤリストテーブル７０から携帯電話４の固有識別子に対応するユーザＩＤを検索し、受信したリクエストに付加されている固有識別子を、検索したユーザＩＤに変換してＩＰサーバ１に送信する（Ｓｔｅｐ  ４１２）。本動作では、携帯電話４からのリクエストに付加されている固有識別子は"xxxxxxx"であるので、この固有識別子に対応したユーザＩＤをユーザＩＤリストテーブル７０から検索すると、"xxxxxxx"に対応するユーザＩＤは"abcdefgh"である。そこで、"xxxxxxx"を"abcdefgh"に変換し、"http://IP1.confirmation1.or.jp/ok/uid=abcdefgh user=NNN"をＩＰサーバ１に送信する。
【０１４１】
ＩＰサーバ１では、リクエストに応答して、記憶しているユーザＩＤとメールアドレスとを対にしてメール配信会員リスト１５０に登録する（Ｓｔｅｐ  ４１３）。
【０１４２】
以上の動作により、会員登録が完了する。
【０１４３】
尚、本説明では、ユーザのメール配信の登録の意思を慎重に確認するため、登録確認用のサイトにリンクさせ、再度登録の意思を確認した後、メール配信会員リスト１５０に登録するように構成した。しかしながら、再度登録の意思確認を行わず、ユーザからの電子メールを受信した時点で登録の動作を終了しても良い。すなわち、Ｓｔｅｐ  ４０６において、ユーザＩＤとメールアドレスとが対の関係で結び付けらた時点で、メールアドレスとユーザＩＤとを対にしてメール配信会員リスト１５０に登録するように構成しても良い。この場合、Ｓｔｅｐ  ４０７以降の処理は不要となる。
＜画像データの配信＞
次に、会員登録後の画像データの配信動作について説明する。
【０１４４】
図１６は画像データ配信の動作を示す動作フローチャートである。
【０１４５】
まず、ＩＰサーバ１は配信する画像が追加されると、追加された最新の画像データが格納されているフォルダ及び画像を読み出すようにリンク先を設定したメールを作成する（Ｓｔｅｐ  ５００）。そして、作成したメールを、メール配信会員リストテーブル１５０に記載されているメールアドレスに対して、同報送信する（Ｓｔｅｐ  ５０１）。
【０１４６】
携帯電話４では、メールを受信し、電子メールに設定されているリンクボタンを押すと、自動的にリクエストが送信される（Ｓｔｅｐ  ５０２）。例えば、携帯電話４からのリクエストとして"http://IP1.channel.or.jp/chara=new1/uid= xxxxxxx user=NNN"を送信したとする。尚、送信されるリクエストのうち"chara=new1"は追加された最新の画像の識別情報であり、"user=NNN"は携帯電話４の機種をそれぞれ示している。尚、これ以降の動作は、ウェブインターフェイスに従う。
【０１４７】
ゲートウェイサーバ２では、携帯電話４からのリクエスト"http://IP1.channel.or.jp/chara=new1/uid= xxxxxxx user=NNN"を受信し、固有識別子をユーザＩＤに変換してＩＰサーバ１に送信する（Ｓｔｅｐ  ５０３）。
【０１４８】
ＩＰサーバ１では、受信したリクエスト"http://IP1.channel.or.jp/chara=new1/uid= abcdefgh user=NNN"からユーザＩＤ"abcdefgh"が登録されているか否かを会員リストテーブル３１を検索して照合する（Ｓｔｅｐ  ５０４）。会員登録の動作において、携帯電話４のユーザは会員登録を済ませてあるので、会員リストテーブル３１にユーザＩＤが記載されている。そこで、機種情報から機種用の画像フォルダに行き、さらにリクエストに記載されている画像データの識別情報に基づいて、画像フォルダに格納されている画像データを読み出し、ゲートウェイサーバ２を介して携帯電話４に送信する（Ｓｔｅｐ  ５０５）。本動作では、リクエストが"http://IP1.channel.or.jp/chara=new1/uid= abcdefgh user=NNN"であるので、機種情報は"user=NNN"であり、画像の識別情報は"new1"である。これは、機種ＮＮＮ用の本日のキャラクタの画像データを示しており、機種ＮＮＮ用の本日の画像フォルダから画像データを読み出し、ゲートウェイサーバ２を介して携帯電話４に送信する。
【０１４９】
携帯電話４では画像データを受信し、受信した画像データをＶＲＡＭ９２格納し、ディスプレイに表示する（Ｓｔｅｐ  ５０６）。
【０１５０】
一方、ダウンロードした画像データを再び表示する場合には、記憶部９５の領域９９に格納される（Ｓｔｅｐ  ５０７）。
【０１５１】
尚、上述した説明からも明らかなように、各部をハードウェアで構成することも可能であるが、コンピュータプログラムにより実現することも可能である。この場合、プログラムメモリに格納されているプログラムで動作するプロセッサによって、上述した実施の形態と同様の機能、動作を実現させる。
【０１５２】
以上好ましい実施の形態及び実施例をあげて本発明を説明したが、本発明は必ずしも上記実施の形態及び実施例に限定されるものではなく、その技術的思想の範囲内において様々に変形し実施することが出来る。
【符号の説明】
【０１５３】
１            インフォメーション・プロバイダーサーバ（ＩＰサーバ）
２            ゲートウェイサーバ
３            基地局
４            携帯電話
５            固定通信網
６            通信網（インターネット）
７            移動体通信網
【図１】
2011078116.tif 000003
【図２】
2011078116.tif 000004
【図３】
2011078116.tif 000005
【図４】
2011078116.tif 000006
【図５】
2011078116.tif 000007
【図６】
2011078116.tif 000008
【図７】
2011078116.tif 000009
【図８】
2011078116.tif 000010
【図９】
2011078116.tif 000011
【図１０】
2011078116.tif 000012
【図１１】
2011078116.tif 000013
【図１２】
2011078116.tif 000014
【図１３】
2011078116.tif 000015
【図１４】
2011078116.tif 000016
【図１５】
2011078116.tif 000017
【図１６】
2011078116.tif 000018
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
他のサーバにおいて、携帯電話の固有識別子と対の関係にあるユーザ識別子とが対応付けられて記憶されたユーザ識別子テーブルに基づき、携帯電話から送信された要求に付加されている携帯電話固有識別子がユーザ識別子に変換され、前記他のサーバから当該変換後のユーザ識別子を含む要求を受信した場合に、当該要求に応じて当該携帯電話に対して情報を送信する情報送信サーバであって、
電子メールの送受信に用いられるサーバメールアドレスが設定されており、
会員の少なくともユーザ識別子を含む会員リストが記憶される手段と、
前記他のサーバから受信した要求に付加されているユーザ識別子が、前記会員リストに含まれているかを判断し、含まれていなければユーザ識別子を前記会員リストに登録する会員登録手段と、
会員登録要求を送信した会員のユーザ識別子と対の関係にあるメール識別子を生成する手段と、
前記携帯電話からの会員登録要求を受信したとき、前記サーバメールアドレスが宛先に設定された電子メールと前記メール識別子とを送信させる指示を、当該携帯電話に対して送信する手段と、
前記指示に応じて前記携帯電話から送信された前記サーバメールアドレス宛の電子メールと前記メール識別子とを受信し、受信したメール識別子からユーザ識別子を特定し、特定されたユーザ識別子と対にして、受信した電子メールの発信元であるユーザメールアドレスを前記会員リストに登録する手段と
を有することを特徴とする情報送信サーバ。
【請求項２】
前記ユーザメールアドレスを送信先として、前記会員リストに記載されたユーザ識別子に対応する携帯電話がアクセスすることができるサイトのリンク先を設定した会員登録の確認用電子メールを送信する手段
を有することを特徴とする請求項１に記載の情報送信サーバ。
【請求項３】
他のサーバにおいて、携帯電話の固有識別子と対の関係にあるユーザ識別子とが対応付けられて記憶されたユーザ識別子テーブルに基づき、携帯電話から送信された要求に付加されている携帯電話固有識別子がユーザ識別子に変換され、前記他のサーバから当該変換後のユーザ識別子を含む要求を受信した場合に、当該要求に応じて当該携帯電話に対して情報を送信する情報送信サーバの情報送信方法であって、
前記情報送信サーバが、前記他のサーバから受信した要求に付加されているユーザ識別子が、記憶手段に記憶されている会員リストに含まれているかを判断し、含まれていなければユーザ識別子を前記会員リストに登録するステップと、
前記情報送信サーバが、会員登録要求を送信した会員のユーザ識別子と対の関係にあるメール識別子を生成するステップと、
前記情報送信サーバが、前記携帯電話からの会員登録要求を受信したとき、電子メールの送受信に用いるサーバメールアドレスが宛先に設定された電子メールと前記メール識別子とを送信させる指示を、当該携帯電話に対して送信するステップと、
前記情報送信サーバが、前記指示に応じて前記携帯電話から送信された前記サーバメールアドレス宛の電子メールと前記メール識別子とを受信し、受信したメール識別子からユーザ識別子を特定し、特定されたユーザ識別子と対にして、受信した電子メールの発信元であるユーザメールアドレスを前記会員リストに登録するステップと
を有することを特徴とする情報送信方法。
【請求項４】
前記情報送信サーバが、前記ユーザメールアドレスを送信先として、前記会員リストに記載されたユーザ識別子に対応する携帯電話がアクセスすることができるサイトのリンク先を設定した会員登録の確認用電子メールを送信するステップ
を更に有することを特徴とする請求項３に記載の情報送信方法。
【請求項５】
他のサーバにおいて、携帯電話の固有識別子と対の関係にあるユーザ識別子とが対応付けられて記憶されたユーザ識別子テーブルに基づき、携帯電話から送信された要求に付加されている携帯電話固有識別子がユーザ識別子に変換され、前記他のサーバから当該変換後のユーザ識別子を含む要求を受信した場合に、当該要求に応じて当該携帯電話に対して情報を送信する情報送信サーバのプログラムであって、
前記他のサーバから受信した要求に付加されているユーザ識別子が、記憶手段に記憶されている会員リストに含まれているかを判断し、含まれていなければユーザ識別子を前記会員リストに登録する処理と、
会員登録要求を送信した会員のユーザ識別子と対の関係にあるメール識別子を生成する処理と、
前記携帯電話からの会員登録要求を受信したとき、電子メールの送受信に用いるサーバメールアドレスが宛先に設定された電子メールと前記メール識別子とを送信させる指示を、当該携帯電話に対して送信する処理と、
前記指示に応じて前記携帯電話から送信された前記サーバメールアドレス宛の電子メールと前記メール識別子とを受信し、受信したメール識別子からユーザ識別子を特定し、特定されたユーザ識別子と対にして、受信した電子メールの発信元であるユーザメールアドレスを前記会員リストに登録する処理と
を前記情報送信サーバに実行させることを特徴とするプログラム。
【請求項６】
サーバにより、プログラムの読み取り可能な情報記憶媒体であって、
前記プログラムは、
他のサーバにおいて、携帯電話の固有識別子と対の関係にあるユーザ識別子とが対応付けられて記憶されたユーザ識別子テーブルに基づき、携帯電話から送信された要求に付加されている携帯電話固有識別子がユーザ識別子に変換され、前記他のサーバから当該変換後のユーザ識別子を含む要求を受信した場合に、当該要求に応じて当該携帯電話に対して情報を送信するプログラムであり、
前記他のサーバから受信した要求に付加されているユーザ識別子が、記憶手段に記憶されている会員リストに含まれているかを判断し、含まれていなければユーザ識別子を前記会員リストに登録する処理と、
会員登録要求を送信した会員のユーザ識別子と対の関係にあるメール識別子を生成する処理と、
前記携帯電話からの会員登録要求を受信したとき、電子メールの送受信に用いるサーバメールアドレスが宛先に設定された電子メールと前記メール識別子とを送信させる指示を、当該携帯電話に対して送信する処理と、
前記指示に応じて前記携帯電話から送信された前記サーバメールアドレス宛の電子メールと前記メール識別子とを受信し、受信したメール識別子からユーザ識別子を特定し、特定されたユーザ識別子と対にして、受信した電子メールの発信元であるユーザメールアドレスを前記会員リストに登録する処理と
を前記情報送信サーバに実行させることを特徴とするプログラムが格納された情報記録媒体。
【手続補正２】
【補正対象書類名】明細書
【補正対象項目名】００１３
【補正方法】変更
【補正の内容】
【００１３】
本発明は、他のサーバにおいて、携帯電話の固有識別子と対の関係にあるユーザ識別子とが対応付けられて記憶されたユーザ識別子テーブルに基づき、携帯電話から送信された要求に付加されている携帯電話固有識別子がユーザ識別子に変換され、前記他のサーバから当該変換後のユーザ識別子を含む要求を受信した場合に、当該要求に応じて当該携帯電話に対して情報を送信する情報送信サーバであって、電子メールの送受信に用いられるサーバメールアドレスが設定されており、会員の少なくともユーザ識別子を含む会員リストが記憶される手段と、前記他のサーバから受信した要求に付加されているユーザ識別子が、前記会員リストに含まれているかを判断し、含まれていなければユーザ識別子を前記会員リストに登録する会員登録手段と、会員登録要求を送信した会員のユーザ識別子と対の関係にあるメール識別子を生成する手段と、前記携帯電話からの会員登録要求を受信したとき、前記サーバメールアドレスが宛先に設定された電子メールと前記メール識別子とを送信させる指示を、当該携帯電話に対して送信する手段と、前記指示に応じて前記携帯電話から送信された前記サーバメールアドレス宛の電子メールと前記メール識別子とを受信し、受信したメール識別子からユーザ識別子を特定し、特定されたユーザ識別子と対にして、受信した電子メールの発信元であるユーザメールアドレスを前記会員リストに登録する手段とを有することを特徴とする情報送信サーバである。
【手続補正３】
【補正対象書類名】明細書
【補正対象項目名】００１４
【補正方法】変更
【補正の内容】
【００１４】
また、上記情報送信サーバが、前記ユーザメールアドレスを送信先として、前記会員リストに記載されたユーザ識別子に対応する携帯電話がアクセスすることができるサイトのリンク先を設定した会員登録の確認用電子メールを送信する手段を有することを特徴とする。
【手続補正４】
【補正対象書類名】明細書
【補正対象項目名】００１５
【補正方法】変更
【補正の内容】
【００１５】
本発明は、他のサーバにおいて、携帯電話の固有識別子と対の関係にあるユーザ識別子とが対応付けられて記憶されたユーザ識別子テーブルに基づき、携帯電話から送信された要求に付加されている携帯電話固有識別子がユーザ識別子に変換され、前記他のサーバから当該変換後のユーザ識別子を含む要求を受信した場合に、当該要求に応じて当該携帯電話に対して情報を送信する情報送信サーバの情報送信方法であって、前記情報送信サーバが、前記他のサーバから受信した要求に付加されているユーザ識別子が、記憶手段に記憶されている会員リストに含まれているかを判断し、含まれていなければユーザ識別子を前記会員リストに登録するステップと、前記情報送信サーバが、会員登録要求を送信した会員のユーザ識別子と対の関係にあるメール識別子を生成するステップと、前記情報送信サーバが、前記携帯電話からの会員登録要求を受信したとき、電子メールの送受信に用いるサーバメールアドレスが宛先に設定された電子メールと前記メール識別子とを送信させる指示を、当該携帯電話に対して送信するステップと、前記情報送信サーバが、前記指示に応じて前記携帯電話から送信された前記サーバメールアドレス宛の電子メールと前記メール識別子とを受信し、受信したメール識別子からユーザ識別子を特定し、特定されたユーザ識別子と対にして、受信した電子メールの発信元であるユーザメールアドレスを前記会員リストに登録するステップとを有することを特徴とする情報送信方法である。
【手続補正５】
【補正対象書類名】明細書
【補正対象項目名】００１６
【補正方法】変更
【補正の内容】
【００１６】
また、上記情報送信方法は、前記情報送信サーバが、前記ユーザメールアドレスを送信先として、前記会員リストに記載されたユーザ識別子に対応する携帯電話がアクセスすることができるサイトのリンク先を設定した会員登録の確認用電子メールを送信するステップを更に有することを特徴とする。
【手続補正６】
【補正対象書類名】明細書
【補正対象項目名】００１７
【補正方法】変更
【補正の内容】
【００１７】
本発明は、他のサーバにおいて、携帯電話の固有識別子と対の関係にあるユーザ識別子とが対応付けられて記憶されたユーザ識別子テーブルに基づき、携帯電話から送信された要求に付加されている携帯電話固有識別子がユーザ識別子に変換され、前記他のサーバから当該変換後のユーザ識別子を含む要求を受信した場合に、当該要求に応じて当該携帯電話に対して情報を送信する情報送信サーバのプログラムであって、前記他のサーバから受信した要求に付加されているユーザ識別子が、記憶手段に記憶されている会員リストに含まれているかを判断し、含まれていなければユーザ識別子を前記会員リストに登録する処理と、会員登録要求を送信した会員のユーザ識別子と対の関係にあるメール識別子を生成する処理と、前記携帯電話からの会員登録要求を受信したとき、電子メールの送受信に用いるサーバメールアドレスが宛先に設定された電子メールと前記メール識別子とを送信させる指示を、当該携帯電話に対して送信する処理と、前記指示に応じて前記携帯電話から送信された前記サーバメールアドレス宛の電子メールと前記メール識別子とを受信し、受信したメール識別子からユーザ識別子を特定し、特定されたユーザ識別子と対にして、受信した電子メールの発信元であるユーザメールアドレスを前記会員リストに登録する処理とを前記情報送信サーバに実行させることを特徴とするプログラムである。
【手続補正７】
【補正対象書類名】明細書
【補正対象項目名】００１８
【補正方法】変更
【補正の内容】
【００１８】
本発明は、サーバにより、プログラムの読み取り可能な情報記憶媒体であって、前記プログラムは、他のサーバにおいて、携帯電話の固有識別子と対の関係にあるユーザ識別子とが対応付けられて記憶されたユーザ識別子テーブルに基づき、携帯電話から送信された要求に付加されている携帯電話固有識別子がユーザ識別子に変換され、前記他のサーバから当該変換後のユーザ識別子を含む要求を受信した場合に、当該要求に応じて当該携帯電話に対して情報を送信するプログラムであり、前記他のサーバから受信した要求に付加されているユーザ識別子が、記憶手段に記憶されている会員リストに含まれているかを判断し、含まれていなければユーザ識別子を前記会員リストに登録する処理と、会員登録要求を送信した会員のユーザ識別子と対の関係にあるメール識別子を生成する処理と、前記携帯電話からの会員登録要求を受信したとき、電子メールの送受信に用いるサーバメールアドレスが宛先に設定された電子メールと前記メール識別子とを送信させる指示を、当該携帯電話に対して送信する処理と、前記指示に応じて前記携帯電話から送信された前記サーバメールアドレス宛の電子メールと前記メール識別子とを受信し、受信したメール識別子からユーザ識別子を特定し、特定されたユーザ識別子と対にして、受信した電子メールの発信元であるユーザメールアドレスを前記会員リストに登録する処理とを前記情報送信サーバに実行させることを特徴とするプログラムが格納された情報記録媒体である。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】００５６
【補正方法】削除
【補正の内容】
【手続補正４６】
【補正対象書類名】明細書
【補正対象項目名】００５７
【補正方法】削除
【補正の内容】